(57)【要約】  ザッピングにより、所望の番組を速やかに選択することができる放送受信装置を提供する。  放送コンテンツを受信し、受信された放送コンテンツの情報を、放送コンテンツが受信されたチャンネルの番組情報として出力する放送受信装置（１０）であって、チャンネルの選局操作を検出する操作検出部（１１１）と、検出されたチャンネルの選局操作からチャンネルの選局操作速度を算出する操作速度算出部（２１１）と、算出された選局操作速度に基づいて番組情報を表示するチャンネル件数を決定する表示件数決定部（２１２）と、決定されたチャンネル件数のチャンネルの番組情報を表示するように表示対象のチャンネルを決定するチャンネル決定部（２１３）と、決定された表示対象のチャンネルの番組情報を出力する表示部（２１６）とを備える。
2009050872.tif 000002
【特許請求の範囲】
【請求項１】
放送コンテンツを受信し、受信された前記放送コンテンツの情報を、前記放送コンテンツが受信されたチャンネルの番組情報として出力する放送受信装置であって、
チャンネルの選局操作を検出する操作検出部と、
検出された前記チャンネルの選局操作から、チャンネルの選局操作速度を算出する操作速度算出部と、
算出された前記選局操作速度に基づいて、前記番組情報を表示するチャンネル件数を決定する表示件数決定部と、
決定された前記チャンネル件数のチャンネルの番組情報を表示するように、表示対象のチャンネルを決定するチャンネル決定部と、
決定された前記表示対象のチャンネルの番組情報を出力する表示部と
を備える放送受信装置。
【請求項２】
前記表示件数決定部は、算出された前記選局操作速度が速いほど、前記チャンネル件数が多くなるように、前記チャンネル件数を決定する
請求項１記載の放送受信装置。
【請求項３】
前記操作速度算出部は、前記操作検出部が検出した連続する２つのチャンネルの選局操作の間の時間が短いほど、前記選局操作速度が速くなるように、前記選局操作速度を算出する
請求項２記載の放送受信装置。
【請求項４】
前記操作速度算出部は、所定の時間内に前記操作検出部がチャンネルの選局操作を検出した回数が多いほど、前記選局操作速度が速くなるように、前記選局操作速度を算出する
請求項２記載の放送受信装置。
【請求項５】
前記操作検出部は、１つのチャンネルが選局操作されている時間を検出し、
前記操作速度算出部は、検出された前記時間が長いほど、前記選局操作速度が速くなるように、前記選局操作速度を算出する
請求項２記載の放送受信装置。
【請求項６】
前記表示件数決定部は、さらに、チャンネルの選局操作を行う操作者の個人情報に基づいて、前記チャンネル件数を決定する
請求項３記載の放送受信装置。
【請求項７】
前記表示件数決定部は、操作者の年齢が予め定められた第１の年齢以上であり、かつ前記第１の年齢よりも大きい第２の年齢未満の場合に、操作者の年齢が前記第１の年齢未満又は前記第２の年齢以上の場合よりも、前記チャンネル件数が多くなるように、前記チャンネル件数を決定する
請求項６記載の放送受信装置。
【請求項８】
前記表示件数決定部は、操作者の年齢が予め定められた第３の年齢以上の場合に、操作者の年齢が増えるほど、前記チャンネル件数が少なくなるように、前記チャンネル件数を決定する
請求項６記載の放送受信装置。
【請求項９】
前記表示件数決定部は、操作者のチャンネルの選局操作の間隔又は所定の時間内での選局操作の回数の実績から、前記間隔が短い又は前記回数が多い操作者ほど、前記チャンネル件数が少なくなるように、前記チャンネル件数を決定する
請求項６記載の放送受信装置。
【請求項１０】
前記チャンネル決定部は、表示する前記放送コンテンツの種類の優先度に基づいて、前記表示対象のチャンネルを決定する
請求項３記載の放送受信装置。
【請求項１１】
前記チャンネル決定部は、前記優先度が切り替えられた場合に、前記切り替え後の優先度に応じた表示対象のチャンネルを決定する
請求項１０記載の放送受信装置。
【請求項１２】
前記表示部は、決定された前記表示対象のチャンネルのうち、前記放送コンテンツの種類の優先度が高いチャンネルほど、番組情報が大きく表示されるように出力する
請求項３記載の放送受信装置。
【請求項１３】
前記操作検出部は、さらに、チャンネルの選局操作以外の操作を検出し、
前記表示件数決定部は、前記操作が検出された場合に、前記操作に対応付けて予め定められた数値を前記チャンネル件数として決定する
請求項３記載の放送受信装置。
【請求項１４】
前記チャンネル決定部は、前記表示部が出力したチャンネルの番組情報のうち選択が行われたチャンネルの番組情報に替えて、前記表示部が出力していないチャンネルの番組情報を出力するように、前記表示対象のチャンネルを決定する
請求項３記載の放送受信装置。
【請求項１５】
前記表示部は、表示されたチャンネルの番組情報のうち、選択が行われているチャンネルの番組情報が最も大きく表示されるように出力する
請求項３記載の放送受信装置。
【請求項１６】
前記表示部は、前記選択が行われているチャンネルの番組情報の近くに表示されているチャンネルの番組情報ほど大きく表示されるように出力する
請求項１５記載の放送受信装置。
【請求項１７】
放送コンテンツを受信し、受信された前記放送コンテンツの情報を、前記放送コンテンツが受信されたチャンネルの番組情報として出力する放送受信方法であって、
チャンネルの選局操作を検出する操作検出ステップと、
検出された前記チャンネルの選局操作から、チャンネルの選局操作速度を算出する操作速度算出ステップと、
算出された前記選局操作速度に基づいて、前記番組情報を表示するチャンネル件数を決定する表示件数決定ステップと、
決定された前記チャンネル件数のチャンネルの番組情報を表示するように、表示対象のチャンネルを決定するチャンネル決定ステップと、
決定された前記表示対象のチャンネルの番組情報を出力する表示ステップと
を含む放送受信方法。
【請求項１８】
放送コンテンツを受信し、受信された前記放送コンテンツの情報を、前記放送コンテンツが受信されたチャンネルの番組情報として出力するためのプログラムであって、
チャンネルの選局操作を検出する操作検出ステップと、
検出された前記チャンネルの選局操作から、チャンネルの選局操作速度を算出する操作速度算出ステップと、
算出された前記選局操作速度に基づいて、前記番組情報を表示するチャンネル件数を決定する表示件数決定ステップと、
決定された前記チャンネル件数のチャンネルの番組情報を表示するように、表示対象のチャンネルを決定するチャンネル決定ステップと、
決定された前記表示対象のチャンネルの番組情報を出力する表示ステップと
をコンピュータに実行させるプログラム。
【請求項１９】
放送コンテンツを受信し、受信された前記放送コンテンツの情報を、前記放送コンテンツが受信されたチャンネルの番組情報として出力する放送受信装置を制御する集積回路であって、
チャンネルの選局操作を検出する操作検出部と、
検出された前記チャンネルの選局操作から、チャンネルの選局操作速度を算出する操作速度算出部と、
算出された前記選局操作速度に基づいて、前記番組情報を表示するチャンネル件数を決定する表示件数決定部と、
決定された前記チャンネル件数のチャンネルの番組情報を表示するように、表示対象のチャンネルを決定するチャンネル決定部と、
決定された前記表示対象のチャンネルの番組情報を出力する表示部と
を備える集積回路。
【発明の詳細な説明】
【技術分野】
【０００１】
本発明は、アナログ及びデジタルテレビ放送を受信することができる放送受信装置に関し、特に所望の番組を、迅速かつ確実に選択することができるようにする放送受信装置に関するものである。
【背景技術】
【０００２】
近年、テレビ放送はアナログ技術からデジタル技術への転換という変革期を迎えており、ＢＳ、ＣＳをはじめとする衛星放送やケーブル放送だけでなく、地上波放送のデジタル化も進んでいる。デジタル放送では、ＭＰＥＧ２で圧縮した映像、音声と番組に付随するデータが流され、従来のアナログ放送と比べてチャンネル数を１００以上確保することが可能であるため、多くの番組を放送することができる。【０００３】
また、一般的に、テレビを視聴しているユーザーは、チャンネル選局のボタンであるCH-Up/Downキーを押下する（以後、選局操作という）ことにより、チャンネルを次々と切り替えて所望の番組を選択する（以後、ザッピングという）。このザッピングは、予め決めておいた視聴したい番組を検索するために行われる場合もあるが、多くは、現在視聴している番組が気に入らず、他のチャンネルではどんな番組が放送されているかを目で見て判断して視聴する番組を選局するために行われる。【０００４】
しかし、ザッピングを行っても、ＡＶ（Ａｕｄｉｏ／Ｖｉｓｕａｌ）を表示するために必要なＩフレーム（Ｉｎｔｒａ−ｃｏｄｅｄ  Ｆｒａｍｅ）は、通常０．５秒に１回だけ配信される。このため、Ｉフレームの取得までに時間がかかったり、Ｉフレームを取得して映像／音声のデコードを開始していても、機器に設定されているペアレンタルロック情報などの視聴制限の確認を行ったりするために、ＡＶをすぐに表示することができない。そのため、選局操作を行っても次のチャンネルのＡＶはすぐには表示されず、黒画が表示されてしまう。このため、ユーザーは自らの選局操作により機器で何が起きているかも分からず、スムースな選局操作をすることができずに、所望の番組を速やかに選局することができないという問題がある。【０００５】
上記の問題を解決するための方法として、電子番組ガイド（以後、ＥＰＧという）を使用した技術がすでに知られている。放送局はＥＰＧを配信することで、各チャンネルにおける放送予定の番組内容を時間帯別に表示することができるようにしており、ユーザーはこのＥＰＧから所望の番組を選択して視聴することができる。【０００６】
しかし、ＥＰＧを起動するためには、ＥＰＧ機能が割り当てられているキーをわざわざ押下しなければならない。従って、ＥＰＧを使用した番組の選局変更では、ザッピングの特徴である何気なく現在視聴している番組を切替えて所望の番組を選局するという利用方法とは異なる。【０００７】
このため、特別なキーの押下をせず現在放送中の番組内容を確認する方法として、ザッピングの開始を自動的に検出して、放送中の全ての番組内容（チャンネル番号、番組名や静止画など）を一覧表示させる放送受信装置が提案されている（例えば、特許文献１参照）。
【特許文献１】特開２００７−５８７３号公報
【発明の開示】
【発明が解決しようとする課題】
【０００８】
しかしながら、従来の放送受信装置では、ユーザーが速やかに所望の番組を選択することが難しいという課題がある。【０００９】
すなわち、チャンネル数が１００以上放送可能となっている今日では、ＥＰＧを使用すると現在放送中の番組内容（チャンネル番号、番組名など）以外の番組内容も一度に表示されてしまう。このため、ユーザーは膨大な番組数の中から一つずつ番組内容を確認して所望の番組を選択することになる。そして、放送中の全てのチャンネルの番組内容が一覧表示されると、一つの番組の表示領域は小さくなってしまうため、ユーザーが番組内容を確認するのは困難である。したがって、ユーザーがその中から速やかに所望の番組を選択することは難しく、実際に利用されない可能性が高い。【００１０】
そこで、本発明は、このような課題を解決するものであり、ザッピングにより所望の番組を速やかに選択することができる放送受信装置を提供することを目的とする。
【課題を解決するための手段】
【００１１】
前記課題を解決するために、本発明に係る放送受信装置は、放送コンテンツを受信し、受信された前記放送コンテンツの情報を、前記放送コンテンツが受信されたチャンネルの番組情報として出力する放送受信装置であって、チャンネルの選局操作を検出する選局操作検出部と、検出された前記チャンネルの選局操作から、チャンネルの選局操作速度を算出する操作速度算出部と、算出された前記選局操作速度に基づいて、前記番組情報を表示するチャンネル件数を決定する表示件数決定部と、決定された前記チャンネル件数のチャンネルの番組情報を表示するように、表示対象のチャンネルを決定するチャンネル決定部と、決定された前記表示対象のチャンネルの番組情報を出力する表示部とを備える。【００１２】
これによれば、ＥＰＧを起動させるような特定のキーを押すこともなく、ユーザーの選局操作により、ザッピング開始と共に現在放送されている各チャンネルの番組内容の一覧表示（以後、サムネイル表示という）を表示することができる。また、その選局操作の操作速度に応じて、サムネイル表示するチャンネル数（以後、サムネイル表示件数という）を変更することができる。このため、チャンネル数が多い場合においても、ユーザーは自分にとって番組内容を確認しやすいチャンネル表示件数の中から、所望の番組を速やかに選択することができる。【００１３】
また、好ましくは、前記表示件数決定部は、算出された前記選局操作速度が速いほど、前記チャンネル件数が多くなるように、前記チャンネル件数を決定する。【００１４】
これによれば、選局操作速度が速いほどチャンネル件数が多くなるように、チャンネル件数が決定され、決定されたチャンネル件数の番組情報を表示することにより、ユーザーは所望の番組を速やかに選択することができる。【００１５】
また、前記操作速度算出部は、前記操作検出部が検出した連続する２つのチャンネルの選局操作の間の時間が短いほど、前記選局操作速度が速くなるように、前記選局操作速度を算出してもよい。【００１６】
これによれば、ザッピング検出後に、直近のキー操作とその直前のキー操作との間隔により、選局操作速度が算出される。これにより、決定されたチャンネル件数の番組情報を表示することにより、ユーザーは所望の番組を速やかに選択することができる。【００１７】
また、前記操作速度算出部は、所定の時間内に前記操作検出部がチャンネルの選局操作を検出した回数が多いほど、前記選局操作速度が速くなるように、前記選局操作速度を算出してもよい。【００１８】
これによれば、ザッピング検出後の一定時間におけるキー操作の回数により、選局操作速度が算出される。これにより、決定されたチャンネル件数の番組情報を表示することにより、ユーザーは所望の番組を速やかに選択することができる。【００１９】
また、前記操作検出部は、１つのチャンネルが選局操作されている時間を検出し、前記操作速度算出部は、検出された前記時間が長いほど、前記選局操作速度が速くなるように、前記選局操作速度を算出してもよい。【００２０】
これによれば、選局操作のために同じキーを一定時間長押しするなどにより、選局操作速度が算出される。これにより、決定されたチャンネル件数の番組情報を表示することにより、ユーザーは所望の番組を速やかに選択することができる。【００２１】
また、前記表示件数決定部は、さらに、チャンネルの選局操作を行う操作者の個人情報に基づいて、前記チャンネル件数を決定してもよい。【００２２】
これによれば、予め記録されているユーザーの個人情報に基づいて、表示するチャンネル件数を決定することで、ユーザーは所望の番組を速やかに選択することができる。【００２３】
また、前記表示件数決定部は、操作者の年齢が予め定められた第１の年齢以上であり、かつ前記第１の年齢よりも大きい第２の年齢未満の場合に、操作者の年齢が前記第１の年齢未満又は前記第２の年齢以上の場合よりも、前記チャンネル件数が多くなるように、前記チャンネル件数を決定してもよい。【００２４】
これによれば、例えば、ユーザーが若い年齢である２０歳以上３０歳未満の場合に、表示するチャンネル件数が、他の年齢層よりも多くなるように決定することができる。このため、ユーザーは、年齢層に応じたチャンネル件数の中から、所望の番組を速やかに選択することができる。【００２５】
また、前記表示件数決定部は、操作者の年齢が予め定められた第３の年齢以上の場合に、操作者の年齢が増えるほど、前記チャンネル件数が少なくなるように、前記チャンネル件数を決定してもよい。【００２６】
これによれば、例えば、ユーザーが６０歳以上の場合に、ユーザーが表示される番組情報を見やすいように、ユーザーの年齢が増加するほど表示するチャンネル件数が段階的に少なくなるように決定することができる。このため、チャンネル数が多い場合においても、ユーザーは所望の番組を速やかに選択することができる。【００２７】
また、前記表示件数決定部は、操作者のチャンネルの選局操作の間隔又は所定の時間内での選局操作の回数の実績から、前記間隔が短い又は前記回数が多い操作者ほど、前記チャンネル件数が少なくなるように、前記チャンネル件数を決定してもよい。【００２８】
これによれば、学習制御などによって記録されたユーザー個人の操作間隔記録や操作回数記録によって、表示するチャンネル件数を決定することができる。このため、チャンネル数が多い場合においても、ユーザーは所望の番組を速やかに選択することができる。【００２９】
また、前記チャンネル決定部は、表示する前記放送コンテンツの種類の優先度に基づいて、前記表示対象のチャンネルを決定してもよい。【００３０】
これによれば、ユーザーが見たいジャンルの番組の優先度を高くしておくことで、当該ジャンルの番組情報を表示するように、表示対象のチャンネルを決定することができる。このため、チャンネル数が多い場合においても、ユーザーは所望の番組を速やかに選択することができる。【００３１】
また、前記チャンネル決定部は、前記優先度が切り替えられた場合に、前記切り替え後の優先度に応じた表示対象のチャンネルを決定してもよい。【００３２】
これによれば、ユーザーが、番組のジャンル単位で見たいジャンルを切り替えることで、切り替えられたジャンルの番組情報を表示するように、表示対象のチャンネルを決定することができる。このため、チャンネル数が多い場合においても、ユーザーは所望の番組を速やかに選択することができる。【００３３】
また、前記表示部は、決定された前記表示対象のチャンネルのうち、前記放送コンテンツの種類の優先度が高いチャンネルほど、番組情報が大きく表示されるように出力してもよい。【００３４】
これによれば、ユーザーが見たいジャンルの番組の優先度を高くしておくことで、当該ジャンルの番組情報が大きく表示される。このため、チャンネル数が多い場合においても、ユーザーは所望の番組を速やかに選択することができる。【００３５】
また、前記操作検出部は、さらに、チャンネルの選局操作以外の操作を検出し、前記表示件数決定部は、前記操作が検出された場合に、前記操作に対応付けて予め定められた数値を前記チャンネル件数として決定してもよい。【００３６】
これによれば、ユーザーが特定のボタンを押下することで、表示するチャンネル件数の増減を物理的に行うことができる。このため、チャンネル数が多い場合においても、ユーザーは所望の番組を速やかに選択することができる。【００３７】
また、前記チャンネル決定部は、前記表示部が出力したチャンネルの番組情報のうち選択が行われたチャンネルの番組情報に替えて、前記表示部が出力していないチャンネルの番組情報を出力するように、前記表示対象のチャンネルを決定してもよい。【００３８】
これによれば、ユーザーが表示された番組情報を選択する際に、カーソルを進めていくことで番組情報が選択されていく順に、選択が終了して通過したチャンネルの番組情報を新しいチャンネルの番組情報に切り替える。これにより、次々に新しいチャンネルを表示することができる。このため、チャンネル数が多い場合においても、ユーザーは所望の番組を速やかに選択することができる。【００３９】
また、前記表示部は、表示されたチャンネルの番組情報のうち、選択が行われているチャンネルの番組情報が最も大きく表示されるように出力してもよい。【００４０】
これによれば、ユーザーが表示された番組情報を選択する際に、ユーザーが番組情報の内容を見やすいように、カーソルが当たって選択されている番組情報を大きく表示することができる。このため、チャンネル数が多い場合においても、ユーザーは所望の番組を速やかに選択することができる。【００４１】
また、前記表示部は、前記選択が行われているチャンネルの番組情報の近くに表示されているチャンネルの番組情報ほど大きく表示されるように出力してもよい。【００４２】
これによれば、ユーザーが表示された番組情報を選択する際に、カーソルが当たって選択されている番組情報を最も大きく表示し、当該番組情報から遠ざかる順に、番組情報を小さく表示する。このため、チャンネル数が多い場合においても、ユーザーは所望の番組を速やかに選択することができる。【００４３】
また、本発明は、このような放送受信装置として実現できるだけでなく、その装置を構成する各処理部を備え当該放送受信装置を制御する集積回路として実現したり、当該各処理部の処理をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００４４】
以上説明したように、本発明によれば、チャンネル数が多い場合においても、ユーザーは自分にとって番組内容を確認しやすいチャンネル表示件数の中から、所望の番組を速やかに選択することができる。
【図面の簡単な説明】
【００４５】
【図１】図１は、本発明の実施の形態１〜４における放送受信装置のハードウェア構成を示す図である。
【図２】図２は、本発明の実施の形態１〜４における放送局によって送出されるＭＰＥＧ２−ＴＳの模式図である。
【図３Ａ】図３Ａは、ＭＰＥＧ２−ＴＳの一般的な構成を示す図である。
【図３Ｂ】図３Ｂは、本発明の実施の形態１〜４におけるＭＰＥＧ２−ＴＳの構成を示す図である。
【図４】図４は、本発明の実施の形態１〜４におけるＥＩＴのデータ構造を示す図である。
【図５】図５は、本発明の実施の形態１〜４における放送受信装置の一例を示す機能ブロック図である。
【図６Ａ】図６Ａは、本発明の実施の形態１における選局操作の操作速度差を基準としたユーザーの選局操作のタイミングとその時の画面イメージを表した図である。
【図６Ｂ】図６Ｂは、本発明の実施の形態１における選局操作の操作速度差を基準としたユーザーの選局操作のタイミングとその時の画面イメージを表した図である。
【図７】図７は、本発明の実施の形態１における選局操作速度が遅いと判断した場合のサムネイル表示時の画面イメージを示す図である。
【図８】図８は、本発明の実施の形態１における選局操作速度が速いと判断した場合のサムネイル表示時の画面イメージを示す図である。
【図９】図９は、本発明の実施の形態１におけるサムネイル表示時のサムネイル表示サイズを全て同じにした場合の画面イメージを示す図である。
【図１０】図１０は、本発明の実施の形態１におけるサムネイル表示時の表示対象のチャンネルの静止画が生成されるまでの画面イメージを示す図である。
【図１１】図１１は、本発明の実施の形態１における選局操作の操作速度を基準としたサムネイル表示を行う方法を示したフローチャートである。
【図１２Ａ】図１２Ａは、本発明の実施の形態２における一定時間内の操作回数を基準としたユーザーの選局操作のタイミングとその時の画面イメージを表した図である。
【図１２Ｂ】図１２Ｂは、本発明の実施の形態２における一定時間内の操作回数を基準としたユーザーの選局操作のタイミングとその時の画面イメージを表した図である。
【図１３】図１３は、本発明の実施の形態２における一定時間内の操作回数を基準としたサムネイル表示を行う方法を示したフローチャートである。
【図１４Ａ】図１４Ａは、本発明の実施の形態３における一定時間長押ししたことを基準としたユーザーの選局操作のタイミングとその時の画面イメージを表した図である。
【図１４Ｂ】図１４Ｂは、本発明の実施の形態３における一定時間長押ししたことを基準としたユーザーの選局操作のタイミングとその時の画面イメージを表した図である。
【図１５】図１５は、本発明の実施の形態３における一定時間長押ししたことを基準としたサムネイル表示を行う方法を示したフローチャートである。
【図１６Ａ】図１６Ａは、本発明の実施の形態４における選局操作の操作速度差を基準としたユーザーの選局操作のタイミングとその時の画面イメージを表した図である。
【図１６Ｂ】図１６Ｂは、本発明の実施の形態４における選局操作の操作速度差を基準としたユーザーの選局操作のタイミングとその時の画面イメージを表した図である。
【図１７】図１７は、本発明の実施の形態４における選局操作速度が速くなったと判断した場合のサムネイル表示時の画面イメージを示す図である。
【図１８】図１８は、本発明の実施の形態４における選局操作の操作速度を基準としたサムネイル表示を行う方法を示したフローチャートである。
【図１９Ａ】図１９Ａは、変形例１における放送受信装置の機能を説明する図である。
【図１９Ｂ】図１９Ｂは、変形例１における放送受信装置の機能を説明する図である。
【図２０Ａ】図２０Ａは、変形例２における放送受信装置の機能を説明する図である。
【図２０Ｂ】図２０Ｂは、変形例２における放送受信装置の機能を説明する図である。
【図２１】図２１は、変形例３における放送受信装置の機能を説明する図である。
【図２２Ａ】図２２Ａは、変形例４における放送受信装置の機能を説明する図である。
【図２２Ｂ】図２２Ｂは、変形例４における放送受信装置の機能を説明する図である。
【図２３】図２３は、変形例５における放送受信装置の機能を説明する図である。
【図２４】図２４は、放送受信装置を集積回路で実現する一例を示す図である。
【符号の説明】
【００４６】
１０  放送受信装置
１００  ケーブル
１０１  チューナー部
１０２  ＴＳデコーダ部
１０３  ＡＶデコーダ部
１０４  プレーン管理部
１０５  ケーブルカード
１０６  ケーブルカードインタフェース（Ｉ／Ｆ）
１０７  ＣＰＵ
１０８  合成部
１０９  モニター
１１０  リモコン
１１１  操作検出部
１１２  ＨＤＤ
１１３  メモリ
１１４  キャッシュメモリ
２０４  静止画
２０５  番組データ
２０６  チャンネル番号
２０７  表示位置
２０８  チャンネル情報記憶部
２０９  選局操作時刻記憶部
２１１  操作速度算出部
２１２  表示件数決定部
２１３  チャンネル決定部
２１４  番組情報生成部
２１５  表示位置決定部
２１６  表示部
【発明を実施するための最良の形態】
【００４７】
以下、本発明の実施の形態について、図面を参照しながら詳細に説明する。【００４８】
（実施の形態１）
まず初めに、本発明の実施の形態１について説明する。【００４９】
図１は、本発明の実施の形態１における放送受信装置のハードウェア構成を示す図である。【００５０】
放送受信装置１０は、デジタル著作物である放送コンテンツを受信し、受信された放送コンテンツの情報を、当該放送コンテンツが受信されたチャンネルの番組情報として出力し、モニターに表示させる装置である。【００５１】
同図に示すように、放送受信装置１０は、チューナー部１０１、ＴＳデコーダ部１０２、ＡＶデコーダ部１０３、プレーン管理部１０４、ケーブルカードインタフェース（Ｉ／Ｆ）１０６、ＣＰＵ１０７、合成部１０８、操作検出部１１１、ハードディスクドライブ（ＨＤＤ）１１２、メモリ１１３、及びキャッシュメモリ１１４を備えている。【００５２】
ケーブルカードインタフェース１０６は、ケーブルカード１０５と放送受信装置１０とがデータのやりとりを行うための部位である。つまり、放送受信装置１０には、ケーブル放送局から送出される映像/音声/番組に付随するデータを一つ以上持つトランスポートストリーム（以後、ＴＳ）を受信するためのケーブルカード１０５が挿入される。ここで、ケーブルカード１０５は、特定の放送局から放送コンテンツを受信できるようにするためのカードである。そして、放送受信装置１０は、ケーブルカードインタフェース１０６を介して、ケーブルカード１０５とデータのやりとりを行う。【００５３】
操作検出部１１１は、リモコン１１０から信号を受信し、チャンネルの選局操作などの操作を検出する部位である。つまり、放送受信装置１０は、リモコン１１０を介して操作検出部１１１によりユーザー操作情報（以後、キーコード）を受信して、その操作に応じた処理を行う。【００５４】
チューナー部１０１、ＴＳデコーダ部１０２及びＡＶデコーダ部１０３は、放送受信装置１０が受信したＴＳを再生するための部位である。チューナー部１０１は、放送局よりケーブル１００を介して配信されたデジタル信号を受信して復調する。ＴＳデコーダ部１０２は、映像/音声/番組に付随するデータを多重化したＴＳをフィルタリングする。ＡＶデコーダ部１０３は、放送局よりＭＰＥＧ形式等で配信された映像/音声データを復号する。図１において、チューナー部１０１、ＴＳデコーダ部１０２、ＡＶデコーダ部１０３及びプレーン管理部１０４を含めてデコーダという。【００５５】
ＣＰＵ１０７は、放送受信装置１０の動作を制御するコントローラである。ＣＰＵ１０７は、データの記憶手段としてＨＤＤ１１２と、揮発性記憶手段であるメモリ１１３と、不揮発性記憶手段であるキャッシュメモリ１１４とが接続されている。【００５６】
プレーン管理部１０４は、モニター１０９に表示させるプレーンを保持する。プレーンは、映像表示用のプレーン、放送受信装置１０のアプリケーション用のプレーン、及び外部入力用のプレーンを含む。【００５７】
合成部１０８は、プレーン管理部１０４が保持するプレーンを合成する。合成されたプレーンは、モニター１０９に出力される。モニター１０９は、合成部１０８から出力される映像を処理して表示する。【００５８】
次に、本発明に係る実施の形態におけるデジタル放送システムの構成を示す。【００５９】
まず、放送局が送出するＭＰＥＧ２−ＴＳの一般的な構成について説明する。【００６０】
図２は、本発明の実施の形態１における放送局によって送出されるＭＰＥＧ２−ＴＳの模式図である。本模式図は、ＤＶＢ（Digital Video Broadcasting）規格におけるＭＰＥＧ２−ＴＳの模式図と等しい。放送局は、映像/音声/番組に付随するデータを一つ以上持つＭＰＥＧ２−ＴＳを送出する。ＭＰＥＧ２-ＴＳには、図２に示す通りチャンネルの映像データ、音声データ及びＴＳの制御データであるＰＡＴ(Program Association Table)、ＰＭＴ(Program Map Table)、ＥＩＴ（Event Information Table）などが含まれている。【００６１】
図３Ａは、ＭＰＥＧ２−ＴＳの一般的な構成を示す図である。ＰＡＴは、各ＰＭＴのサービスＩＤを含んでおり、ＴＳに含まれているチャンネル一覧を保持している。各チャンネルはこのＰＭＴのサービスＩＤにより識別することができる。ＰＭＴは、チャンネルを構成する情報が記載されており、一つのチャンネルに含まれる映像/音声などの各プログラムＩＤを含んでいる。ＴＳからこのプログラムＩＤを持つ映像/音声データを抽出することでチャンネルの映像/音声データを取得することができる。ＥＩＴは、ＰＭＴのサービスＩＤと同じサービスＩＤを持つことで、ＰＭＴが表すチャンネルの番組情報（以後、ＳＩ情報）として関連付けられる。【００６２】
図４は、本発明の実施の形態１におけるＥＩＴのデータ構造を示す図である。同図に示す通りＥＩＴには、番組を識別するイベントＩＤと、番組の開始時間、継続時間など番組を特定する情報から構成されている。さらに、ディスクリプタには番組名、あらすじなどが含まれている。【００６３】
なお、ＰＡＴ、ＰＭＴ、及びＥＩＴの構造や取得方法は、当業者には周知である。【００６４】
次に、本実施の形態で使用するＭＰＥＧ２−ＴＳの構成を説明する。【００６５】
図３Ｂは、本実施の形態で使用するＭＰＥＧ２−ＴＳの構成を示す図である。本実施の形態では、ＰＡＴ、ＰＭＴ、ＥＩＴ、映像/音声データを含むある一つのＴＳを使用する。【００６６】
このＴＳには、ＰＭＴ−1〜ＰＭＴ−１２で識別されるサービスＩＤの異なるＰＭＴを１２個含んでおり、それぞれチャンネル番号１〜チャンネル番号１２と想定している。ＰＭＴ−１は、映像ＤａｔａＤｖ−１及び音声ＤａｔａＤａ−１のプログラムＩＤを指定しており、チャンネル番号１の構成要素として指定している。ＰＭＴ−２〜ＰＭＴ−１２の構成要素も同様である。ＰＭＴのサービスＩＤと同じサービスＩＤを持つことで関連付けられているＥＩＴも、ＥＩＴ−１〜ＥＩＴ−１２で識別され、それぞれチャンネル番号１のＳＩ情報〜チャンネル番号１２のＳＩ情報と想定している。【００６７】
なお、本実施の形態では、一つのＴＳの中に全てのチャンネルを含んでいるが、複数のＴＳが放送されていることは当業者には周知のことであり、もちろん別のＴＳをまたがってチャンネルを選局してもよい。【００６８】
また、チャンネルはＰＭＴのサービスＩＤにより識別しているが、チャンネルを識別することが可能であれば、ＤＶＢ規格におけるＮＩＴ（Network Information Table）などその他のテーブルであってもよい。同様にＳＩ情報もＥＩＴから取得していたが、番組名やあらすじなどそのチャンネルの番組内容を取得することが可能であれば、その他のテーブルであってもよい。【００６９】
図５は、本発明の実施の形態１における放送受信装置１０の一例を示す機能ブロック図である。【００７０】
同図に示すように、放送受信装置１０は、操作速度算出部２１１、表示件数決定部２１２、チャンネル決定部２１３、番組情報生成部２１４、表示位置決定部２１５、表示部２１６が所定のプログラムとして実行されることで実現される。また、放送受信装置１０は、データが記憶されている選局操作時刻記憶部２０９とチャンネル情報記憶部２０８とを備えている。なお、チューナー部１０１、ＴＳデコーダ部１０２、ＡＶデコーダ部１０３及び操作検出部１１１は、図１での説明と同様の機能を有するため、詳細な説明は省略する。【００７１】
選局操作時刻記憶部２０９には、前回の選局操作が行われた時刻が記憶される。チャンネル情報記憶部２０８には、現在ユーザーが視聴しているチャンネル番号が記憶される。【００７２】
操作速度算出部２１１は、操作検出部１１１が検出したチャンネルの選局操作から、チャンネルの選局操作速度を算出する。具体的には、操作速度算出部２１１は、選局操作が行われた現在の時刻と選局操作時刻記憶部２０９に記憶されている前回の操作時刻とを比較して選局操作速度を算出する。つまり、操作速度算出部２１１は、操作検出部１１１が検出した連続する２つのチャンネルの選局操作の間の時間が短いほど、選局操作速度が速くなるように、選局操作速度を算出する。そして、操作速度算出部２１１は、選局操作が行われた現在の時刻を選局操作時刻記憶部２０９に格納する。【００７３】
表示件数決定部２１２は、操作速度算出部２１１が算出した選局操作速度に基づいて、番組情報を表示するチャンネル件数であるサムネイル表示件数を決定する。具体的には、表示件数決定部２１２は、操作速度算出部２１１が算出した選局操作速度が速いほど、サムネイル表示件数が多くなるように、サムネイル表示件数を決定する。【００７４】
チャンネル決定部２１３は、表示件数決定部２１２が決定したサムネイル表示件数のチャンネルの番組情報を表示するように、表示対象のチャンネルを決定する。具体的には、表示件数決定部２１２が決定したサムネイル表示件数と、操作検出部１１１を介して入力されたキーコードと、チャンネル情報記憶部２０８に記憶されているチャンネル番号とから、サムネイル表示させるチャンネルを１つ以上決定する。【００７５】
番組情報生成部２１４は、チャンネル決定部２１３が決定したチャンネルの番号から、表示対象のチャンネルの番組情報を構成する静止画２０４、番組データ２０５及びチャンネル番号２０６を生成する。静止画２０４は、チャンネル番号に対応したＰＭＴから映像データを取得してＡＶデコード中に任意の再生時刻で停止させることで生成される。番組データ２０５としては、前記のＰＭＴと同じサービスＩＤを持つＥＩＴの中から番組を特定できる番組情報（番組名、あらすじなど）が取得される。チャンネル番号２０６は、表示対象のチャンネルの番号そのままである。【００７６】
表示位置決定部２１５は、チャンネル情報記憶部２０８に記憶されているチャンネル番号と表示件数決定部２１２が決定したサムネイル表示件数とから、表示対象のチャンネルの番組情報をモニター１０９上のどの位置に表示するかを決定する。表示位置決定部２１５が決定した表示位置は、表示対象のチャンネルの番組情報の一つとして表示位置２０７に保持される。【００７７】
表示部２１６は、チャンネル決定部２１３が決定した表示対象のチャンネルの番組情報を出力する。具体的には、表示部２１６は、表示対象のチャンネルの番組情報をモニター１０９に出力してサムネイル表示を行う。【００７８】
本発明の実施の形態１では、放送受信装置１０は、放送局から映像/音声/番組に付随するデータを含むある一つのＴＳを受信し、ザッピング時のユーザーの選局操作の操作速度に応じたサムネイル表示件数を算出して、モニター１０９にサムネイル表示を行う。そして、放送受信装置１０は、その後選局操作があった場合はサムネイル表示件数を変更せずに、サムネイル表示対象のチャンネルを変更して番組情報を生成し直し、サムネイル表示を更新する。このような本実施の形態１に係る放送受信装置１０について、以下に説明する。【００７９】
まず、ユーザーの操作イメージの一例を図６Ａ及び図６Ｂで説明する。【００８０】
図６Ａ及び図６Ｂは、本発明の実施の形態１における選局操作の操作速度差を基準としたユーザーの選局操作のタイミングとその時の画面イメージを表した図である。【００８１】
具体的には、同図は、図３Ｂで示した通り、放送局から放送されているチャンネル数が全部で１２個（チャンネル番号１〜１２）の場合において、チャンネル２（チャンネル番号２の番組）を視聴している間に、ユーザーが選局操作にてCH-Upキーを連続して押下した時の選局操作のタイミングとその時の画面イメージを表した図である。【００８２】
図６Ａは、選局操作速度が遅い場合の選局操作の押下タイミングとその時に表示される画面イメージを表している。【００８３】
同図に示す通り、ユーザーはチャンネル２（画面３３０）を視聴している時に、現在他チャンネルではどのような番組が放送されているかを見るために、リモコン１１０のCH-Upキー３００を押下して、チャンネル３（画面３３１）を表示させる。【００８４】
そして、ユーザーが、CH-Upキー３００を押下した後２秒以内に再度CH-Upキー３０１を押下した場合、放送受信装置１０は、ザッピングが開始されたと判断して、サムネイル表示に遷移する。【００８５】
具体的には、まず操作検出部１１１が、チャンネルの選局操作であるCH-Upキー３００とCH-Upキー３０１の押下操作を検出する。そして、操作速度算出部２１１は、このCH-Upキー３００とCH-Upキー３０１の押下操作から、チャンネルの選局操作速度を算出する。ここで、CH-Upキー３０１は、CH-Upキー３００押下の１秒後に押下されたこととする。つまり、操作速度算出部２１１は、１秒／回という選局操作速度を算出する。【００８６】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、選局操作速度が０．５秒／回以内であれば選局操作速度が速いと判断し、サムネイル表示件数を７件と決定する。また、表示件数決定部２１２は、選局操作速度が０．５秒／回より大きければ選局操作速度が遅いと判断し、サムネイル表示件数を２件と決定する。【００８７】
したがって、この場合は、表示件数決定部２１２は、ザッピングの選局操作速度が遅いと判断して、サムネイル表示件数を２件と決定する。【００８８】
次に、チャンネル決定部２１３は、表示件数決定部２１２が決定したサムネイル表示件数のチャンネルの番組情報を表示するように、表示対象のチャンネルを決定する。ここでは、チャンネル決定部２１３は、現在視聴しているチャンネル番号の次のチャンネル２件分を表示対象のチャンネルと決定する。【００８９】
そして、番組情報生成部２１４は、チャンネル決定部２１３が決定したチャンネル２件分の番組情報を生成し、表示位置決定部２１５は、当該番組情報のモニター１０９上の表示位置を決定する。そして、表示部２１６は、チャンネル決定部２１３が決定したチャンネル２件分の番組情報を出力し、モニター１０９に表示させる（画面３３２）。【００９０】
また、モニター１０９にサムネイルが表示されている間に、CH-Upキー３０２が押下された場合は、表示件数決定部２１２によるサムネイル表示件数の変更は行われずに、チャンネル決定部２１３は、サムネイル表示対象のチャンネル番号を変更する。そして、番組情報生成部２１４が表示対称の番組情報を生成し直して、表示部２１６がサムネイル表示を更新するように番組情報を出力し、モニター１０９に表示させる（画面３３３）。【００９１】
そして、モニター１０９にサムネイルが表示されているが、ユーザーの最後の選局操作から５秒経過しても選局操作が行われない場合は、放送受信装置１０は、現在カーソルで選択されているチャンネルを選局して、全画面表示に切り替える（画面３３４）。【００９２】
全画面表示（画面３３４）になった後にCH-Upキー３０３が押下された場合は、CH-Upキー３００が押下されたのと同様の処理により、次のチャンネル６（画面３３５）が表示される。【００９３】
図６Ｂは、選局操作速度が速い場合の選局操作の押下タイミングとその時に表示される画面イメージを表している。【００９４】
同図に示す通り、ユーザーは、チャンネル２（画面３３６）を視聴している時に、リモコン１１０のCH-Upキー３０４を押下することにより、チャンネル３（画面３３７）がモニター１０９に表示される。【００９５】
そして、操作検出部１１１が、CH-Upキー３０４が押下された０．５秒後にCH-Upキー３０５の押下を検出した場合は、操作速度算出部２１１は、０．５秒／回という選局操作速度を算出する。【００９６】
そして、表示件数決定部２１２は、ザッピングの選局操作速度が速いと判断して、サムネイル表示件数を７件と決定する。そして、チャンネル決定部２１３は、現在視聴しているチャンネル番号の次のチャンネル７件分を表示対象のチャンネルと決定する。そして、番組情報生成部２１４は、チャンネル７件分の番組情報を生成し、表示位置決定部２１５は、当該番組情報のモニター１０９上の表示位置を決定する。【００９７】
そして、表示部２１６は、チャンネル７件分の番組情報を出力し、モニター１０９に表示させる（画面３３８）。その後のリモコン操作によるモニター１０９上の画面表示の遷移は、図６Ａで説明したザッピングの選局操作速度が遅いと判断した場合と同様である（画面３３９〜３４１）。【００９８】
なお、今回はCH-Upキーによりチャンネルを２→３→４と昇順に切り替えた場合について説明したが、CH-Downキーによりチャンネルを降順に切り替えてもよい。つまり、CH-Up/Downキーによるチャンネル切り替えは、昇順でも降順でもどちらでもよい。【００９９】
図７〜図１０は、上記ザッピングの選局操作を行った場合における、サムネイル表示時の画面イメージを表している。【０１００】
図７は、本発明の実施の形態１における選局操作速度が遅いと判断した場合のサムネイル表示時の画面イメージを示す図である。つまり、同図は、図６Ａに示された画面イメージを詳細に示す図である。【０１０１】
同図の（ａ）〜（ｃ）に示す画面１〜３のそれぞれは、図６Ａに示された画面３３０〜３３２であり、同図の（ｄ）に示す画面４は、図６Ａに示された画面３３４である。つまり、画面３は、選局操作速度が遅いと判断された場合の画面イメージである。このようにサムネイル表示時には、現在視聴中のチャンネル番号の次のチャンネル２件分（チャンネル番号４，５）の番組の静止画と番組名、あらすじが表示される。【０１０２】
図８は、本発明の実施の形態１における選局操作速度が速いと判断した場合のサムネイル表示時の画面イメージを示す図である。【０１０３】
同図の（ａ）〜（ｃ）に示す画面１〜３のそれぞれは、図６Ｂに示された画面３３６〜３３８であり、同図の（ｄ）に示す画面４は、図６Ｂに示された画面３４０である。つまり、画面３は、操作速度が速いと判定された場合の画面イメージである。このように、画面３には、現在視聴中のチャンネル番号３と次のチャンネル番号４，５，６，７と、チャンネル番号３の前のチャンネル番号２，１、の合計７件分の番組内容が表示される。【０１０４】
図９は、本発明の実施の形態１におけるサムネイル表示時のサムネイル表示サイズを全て同じにした場合の画面イメージを示す図である。具体的には、同図は、図８の（ｃ）に示された画面３のサムネイル表示サイズを全て同じにした場合の画面イメージを示す図である。【０１０５】
つまり、サムネイルの表示サイズは図８の（ｃ）の画面３のように視聴していたチャンネルに最も近いチャンネル（チャンネル番号４）を１番大きく、視聴していたチャンネルから遠ざかるにつれて小さくするだけではなくて、各チャンネルの番組情報をユーザーに確認させることができるのであれば図９の（ｃ）の画面３のように、サムネイルの表示サイズは全て同じでもよい。【０１０６】
なお、サムネイル表示に使用される番組情報は、上記のように、静止画と番組名、あらすじだけとは限らず、静止画の代わりに動画を表示してもよく、番組を特定できるのであれば他の情報でもよい。【０１０７】
図１０は、本発明の実施の形態１におけるサムネイル表示時の表示対象のチャンネルの静止画が生成されるまでの画面イメージを示す図である。具体的には、同図は、図７の（ｃ）に示された画面３の表示対象のチャンネルの静止画が生成されるまでの画面イメージを示す図である。【０１０８】
つまり、静止画の生成に時間がかかる場合は、図１０の（ｃ）の画面３のように、サムネイル表示対象のチャンネルの静止画が生成されるまでは黒画にその旨を表す「選局中」や「視聴制限確認中」など放送受信装置１０の処理の状況を表す文字情報と、番組内容を表示してもよい。静止画が生成できた段階で、サムネイル表示を更新して、通常の図７の（ｃ）の画面３のように静止画を表示させればよい。【０１０９】
また、視聴制限により静止画を表示できない場合は、「視聴制限中」などの文字情報を表示してもよい。【０１１０】
これにより、ユーザーは、機器がどのような状況にあるのかを確認することができ、また表示されている番組内容を読むことにより次のザッピングを行うことができて、速やかでスムースな操作を行うことができるようになる。【０１１１】
次に、本発明の実施の形態１に関わる放送受信装置１０の動作の一例を、図１１のフローチャートに基づいて説明する。【０１１２】
図１１は、本発明の実施の形態１における選局操作の操作速度を基準としたサムネイル表示を行う方法を示したフローチャートである。つまり、同図は、本発明の実施の形態１における、CH-Up/Downキーで選局操作が行われた場合の選局操作速度により、サムネイル表示件数を決定して現在放送している各チャンネルの番組情報をサムネイル表示するフローチャートである。【０１１３】
前提としては、放送受信装置１０は、図３Ｂに示されたＭＰＥＧ２−ＴＳの構成を持つＴＳを受信する。また、図１１は、図６Ａ及び図６Ｂでのユーザー操作イメージにおいてのザッピング開始である２回目のCH-Upキー押下後からのフローチャートを示している。つまり、放送局から放送されているチャンネル数が全部で１２個（チャンネル番号１〜１２）の場合において、ユーザーが、チャンネル２を視聴している間に１回CH-Upキーを押下することで、チャンネル３を視聴しており、前回選局操作が行われた時刻が選局操作時刻記憶部２０９に記憶されているものとする。【０１１４】
まず、操作検出部１１１を介してユーザーからのキーコードが操作速度算出部２１１に入力される。操作速度算出部２１１は、入力されたキーコードがCH-Up/Downキーであるか否かを判断する（ＳＴ４００１）。【０１１５】
そして、操作速度算出部２１１は、入力されたキーコードがCH-Up/Downキーであると判断すれば（ＳＴ４００１でＹ）、選局操作が行われた現在の時刻を選局操作時刻記憶部２０９に記憶させる（ＳＴ４００２）。【０１１６】
そして、操作速度算出部２１１は、選局が行なわれた現在の時刻と、選局操作時刻記憶部２０９に記憶されている前回の選局操作が行われた時刻とを比較して、２つの選局操作の操作時間差を選局操作速度として算出する（ＳＴ４００３）。【０１１７】
次に、表示件数決定部２１２は、操作時間差が２秒以内であるか否かを判断する（ＳＴ４００４）。そして、表示件数決定部２１２は、操作時間差が２秒以内であると判断した場合（ＳＴ４００４でＹ）、操作時間差が０．５秒以内であるか否かを判断する（ＳＴ４００５）。【０１１８】
そして、表示件数決定部２１２は、操作時間差が０．５秒以内であると判断した場合（ＳＴ４００５でＹ）、操作速度が速いと判断してサムネイル表示件数を７件に決定する（ＳＴ４００６）。【０１１９】
また、表示件数決定部２１２は、操作時間差が０．５秒よりも大きいと判断した場合（ＳＴ４００５でＮ）、操作速度が遅いと判断してサムネイル表示件数を２件に決定する（ＳＴ４００７）。【０１２０】
次に、チャンネル決定部２１３は、CH-Up/Downキーの操作方向に応じて現在視聴しているチャンネル番号の次のチャンネル、もしくは前後のチャンネルからサムネイル表示件数分の表示対象のチャンネルを決定する（ＳＴ４００８）。【０１２１】
番組情報生成部２１４は、サムネイル表示対象として決定したチャンネルの番組情報を生成してサムネイル表示を更新するために、チャンネル番号に対応されたＰＭＴから映像データを取得して、ＡＶデコード中に任意の再生時刻で停止させて静止画を生成する。また、番組情報生成部２１４は、前記のＰＭＴと同じサービスＩＤを持つＥＩＴの中から番組名、あらすじなどを取得して番組データを生成する。ここで、チャンネル番号は、対象チャンネルの番号そのままである。そして、表示位置決定部２１５は、チャンネル情報記憶部２０８に記憶されているチャンネル番号と決定されたサムネイル表示件数とから、表示対象のチャンネルの番組情報を画面上のどの位置に表示するかを決定する。そして、表示部２１６は、生成された表示対象チャンネルの番組情報をモニター１０９に出力してサムネイル表示を行う（ＳＴ４００９）。【０１２２】
また、表示件数決定部２１２が、操作時間差が２秒よりも大きいと判断した場合（ＳＴ４００４でＮ）、チャンネル決定部２１３は、モニター１０９にサムネイルが表示されているか否かを判断する（ＳＴ４０１０）。チャンネル決定部２１３は、モニター１０９にサムネイルが表示されていると判断した場合（ＳＴ４０１０でＹ）、表示対象のチャンネルを変更する（ＳＴ４０１１）。そして、表示部２１６は、変更後のチャンネルの番組情報を出力し、モニター１０９のサムネイル表示を更新する（ＳＴ４００９）。【０１２３】
また、チャンネル決定部２１３は、モニター１０９にサムネイルが表示されていないと判断した場合（ＳＴ４０１０でＮ）、次のチャンネルを選局する（ＳＴ４０１２）。【０１２４】
なお、本実施の形態１ではサムネイル表示件数を２件又は７件と固定して説明したが、選局操作が速いと判断した場合の方が遅い場合よりもサムネイル表示件数が多くなるのであればどのような件数であってもよい。また、サムネイル表示件数を決定する時の操作時間差の基準も、上記の数値に限定するものではなく任意の数値でよい。【０１２５】
以上のようにして、本発明の実施の形態１では、従来例のようにザッピングの開始を自動的に検出して、現在放送中の全てのチャンネルの番組情報を一覧表示するのとは異なり、ユーザーの選局操作の操作速度に応じてサムネイル表示するチャンネル数を変更することができる。【０１２６】
その結果、特定のキーを押すこともなくユーザーの選局操作によるザッピング開始と共に現在放送されているチャンネルのサムネイル表示に切り替え、その選局操作の操作速度に応じてサムネイル表示件数を変更することができる。このため、チャンネル数が多い場合においても、ユーザーは自分にとって番組内容を確認しやすいチャンネル表示件数の中から所望の番組を速やかに選択することができる。【０１２７】
（実施の形態２）
実施の形態１では、操作速度算出部２１１は、ザッピングの選局操作の操作速度を選局操作時間差から算出したが、本実施の形態２では、操作速度算出部２１１は、一定時間内の操作回数から選局操作の操作速度を算出する。【０１２８】
この場合の動作を、図１２Ａ及び図１２Ｂのユーザー操作イメージと図１３のフローチャートに基づいて説明する。なお、同図に示す以外の放送受信装置１０の構成等は、図１〜図５で説明した実施の形態１での構成等と同様であるため、説明を省略する。【０１２９】
まず、図１２Ａ及び図１２Ｂのユーザー操作イメージを説明する。【０１３０】
図１２Ａ及び図１２Ｂは、本発明の実施の形態２における一定時間内の操作回数を基準としたユーザーの選局操作のタイミングとその時の画面イメージを表した図である。【０１３１】
そして、図１２Ａは、選局操作速度が遅い場合の選局操作の押下タイミングとその時に表示される画面イメージを表している。【０１３２】
同図に示すように、ユーザーがチャンネル２（画面３３０）を視聴している時に、CH-Upキー３１０を押下して、チャンネル３（画面３３１）に遷移するところは図６Ａと同様であるが、CH-Upキー３１０が押下された時に２秒を計測するタイマーが起動する。【０１３３】
そして、ユーザーがCH-Upキー３１０を押下した１．５秒後に再度CH-Upキー３１１を押下した場合、放送受信装置１０は、２秒を計測するタイマーが起動中なのでザッピングが開始されたと判断して、サムネイル表示に遷移する。【０１３４】
具体的には、まず操作検出部１１１が、当該タイマー起動中のチャンネルの選局操作であるCH-Upキー３１０とCH-Upキー３１１の押下操作を検出する。そして、操作速度算出部２１１は、このCH-Upキー３１０とCH-Upキー３１１の押下操作から、チャンネルの選局操作速度を算出する。ここで、CH-Upキー３１１は、CH-Upキー３１０押下の１．５秒後に押下されているので、操作速度算出部２１１は、１．５秒／回という選局操作速度を算出する。【０１３５】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、２秒のうちで選局操作回数が４回以上（選局操作速度が０．５秒／回以内）であれば選局操作速度が速いと判断し、サムネイル表示件数を７件と決定する。また、表示件数決定部２１２は、２秒のうちで選局操作回数が３回以下（選局操作速度が０．５秒／回より大きい）であれば選局操作速度が遅いと判断し、サムネイル表示件数を２件と決定する。【０１３６】
したがって、この場合は、表示件数決定部２１２は、タイマー動作中の選局操作回数が２回と少ないので、ザッピングの選局操作速度が遅いと判断して、サムネイル表示件数を２件と決定する。【０１３７】
そして、チャンネル決定部２１３は、現在視聴しているチャンネル番号の次のチャンネル２件分を表示対象のチャンネルと決定し、表示部２１６は、チャンネル決定部２１３が決定したチャンネル２件分の番組情報を出力し、モニター１０９に表示させる（画面３３２）。なお、ユーザーがその後のCH-Upキー３１２、３１３を押下した時の画面イメージ（画面３３３〜３３５）は、図６Ａに示されたCH-Upキー３０２、３０３を押下した時の画面イメージと同様であるため、説明を省略する。【０１３８】
図１２Ｂは、選局操作速度が速い場合の選局操作の押下タイミングとその時に表示される画面イメージを表している。【０１３９】
同図に示す通り、CH-Upキー３１４の押下によりチャンネル３（画面３３７）に遷移した後で、２秒を計測するタイマー動作中にCH-Upキー３１５、３１６、３１７が押下される。この場合、表示件数決定部２１２は、タイマー動作中の選局操作回数が４回と多いので、ザッピングの選局操作速度が速いと判断して、サムネイル表示件数を７件と決定する。そして、表示部２１６は、７件分の番組情報をモニター１０９に表示させる（画面３３８）。なお、ユーザーがその後のCH-Upキー３１８、３１９を押下した時の画面イメージ（画面３３９〜３４１）は、図６Ｂに示されたCH-Upキー３０６、３０７を押下した時の画面イメージと同様であるため、説明を省略する。【０１４０】
このように、操作速度算出部２１１は、所定の時間内に操作検出部１１１がチャンネルの選局操作を検出した回数が多いほど、選局操作速度が速くなるように、選局操作速度を算出する。【０１４１】
次に、図１３のフローチャートを説明する。【０１４２】
図１３は、本発明の実施の形態２における一定時間内の操作回数を基準としたサムネイル表示を行う方法を示したフローチャートである。【０１４３】
前提としては、図１１のフローチャートで説明した内容に加えて、１回目のCH-Upキー押下時に２秒を計測するタイマーが起動している。【０１４４】
まず、操作検出部１１１を介してユーザーから選局操作のキーコードが操作速度算出部２１１に入力される。操作速度算出部２１１は、入力されたキーコードがCH-Up/Downキーであるか否かを判断して（ＳＴ４１０１）、CH-Up/Downキーであれば（ＳＴ４１０１でＹ）、選局操作が行われた現在の時刻を選局操作時刻記憶部２０９に記憶させる（ＳＴ４１０２）。【０１４５】
そして、操作速度算出部２１１は、現在モニター１０９にサムネイルが表示されているか否かを判断する（ＳＴ４１０３）。操作速度算出部２１１は、サムネイルが表示されていないと判断した場合（ＳＴ４１０３でＮ）、２秒を計測するタイマーが起動しているか否かを判断する（ＳＴ４１０４）。そして、操作速度算出部２１１は、当該タイマーが起動していると判断した場合（ＳＴ４１０４でＹ）、選局操作回数をカウントアップする（ＳＴ４１０５）。【０１４６】
また、操作速度算出部２１１は、当該タイマーが起動していないと判断した場合（ＳＴ４１０４でＮ）、当該タイマーを起動させる（ＳＴ４１１１）。そして、操作速度算出部２１１には、操作検出部１１１を介してユーザーから選局操作のキーコードが入力される（ＳＴ４１１２）。そして、操作速度算出部２１１は、選局操作回数をカウントアップする（ＳＴ４１１３）。【０１４７】
次に、表示件数決定部２１２は、カウントアップされた選局操作回数が４回以上か否かを判断する（ＳＴ４１０６）。表示件数決定部２１２は、選局操作回数が３回以下ならサムネイル表示件数を２件に決定し（ＳＴ４１０８）、選局操作回数が４回以上ならタイマーが動作中であってもこの時点で選局操作速度が速いと判断してサムネイル表示件数を７件に決定する（ＳＴ４１０７）。そして、図１１のＳＴ４００８〜ＳＴ４００９での処理と同様に、表示対象のチャンネルを決定し（ＳＴ４１０９）、サムネイル表示更新を行う（ＳＴ４１１０）。【０１４８】
また、操作速度算出部２１１は、現在モニター１０９にサムネイルが表示されていると判断した場合（ＳＴ４１０３でＹ）、チャンネル決定部２１３が表示対象のチャンネルを変更し（ＳＴ４１１４）、表示部２１６がサムネイル表示を更新する（ＳＴ４１１０）。【０１４９】
また、操作速度算出部２１１は、入力されたキーコードがCH-Up/Downキーでなければ（ＳＴ４１０１でＮ）、タイマーが２秒以上経過して動作中であったタイマーが停止したか否かを判断する（ＳＴ４１１５）。操作速度算出部２１１が、タイマーが２秒以上経過したと判断した場合（ＳＴ４１１５でＹ）、表示件数決定部２１２は、選局操作回数が４回以上か否かを判断する（ＳＴ４１１６）。【０１５０】
表示件数決定部２１２は、選局操作回数が３回以内と判断した場合（ＳＴ４１１６でＮ）は、サムネイル表示件数を２件に決定し（ＳＴ４１１８）、選局操作回数が４回以上と判断した場合（ＳＴ４１１６でＹ）は、サムネイル表示件数を７件に決定する（ＳＴ４１１７）。そして、図１１のＳＴ４００８〜ＳＴ４００９での処理と同様に、表示対象のチャンネルを決定し（ＳＴ４１０９）、サムネイル表示更新を行う（ＳＴ４１１０）。【０１５１】
（実施の形態３）
実施の形態１及び実施の形態２では、操作速度算出部２１１は、ザッピングの選局操作の操作速度を選局操作時間差又は一定時間内の操作回数から算出したが、本実施の形態３では、操作速度算出部２１１は、同じキーを一定時間長押しすることにより、選局操作の操作速度を算出する。【０１５２】
この場合の動作を、図１４Ａ及び図１４Ｂのユーザー操作イメージと図１５のフローチャートに基づいて説明する。なお、同図に示す以外の放送受信装置１０の構成等は、図１〜図５で説明した実施の形態１での構成等と同様であるため、説明を省略する。【０１５３】
まず、図１４Ａ及び図１４Ｂのユーザー操作イメージを説明する。【０１５４】
図１４Ａ及び図１４Ｂは、本発明の実施の形態３における一定時間長押ししたことを基準としたユーザーの選局操作のタイミングとその時の画面イメージを表した図である。【０１５５】
そして、図１４Ａは、選局操作速度が遅い場合の選局操作の押下タイミングとその時に表示される画面イメージを表している。【０１５６】
同図に示すように、ユーザーがチャンネル２（画面３３０）を視聴している時に、CH-Upキー３２０を押下して、チャンネル３（画面３３１）に遷移するところは図６Ａと同様である。【０１５７】
そして、CH-Upキー３２０が０．５秒間以上押されたままの場合、放送受信装置１０は、ザッピングが開始されたと判断して、サムネイル表示に遷移する。【０１５８】
具体的には、まず操作検出部１１１は、チャンネルの選局操作であるCH-Upキー３２０の押下操作を検出することで、１つのチャンネルが選局操作されている時間を検出する。ここでは、CH-Upキー３２０が１秒間押されたこととする。そして、操作速度算出部２１１は、このCH-Upキー３２０が押下された時間から、チャンネルの選局操作速度を算出する。つまり、操作速度算出部２１１は、検出された時間が長いほど、選局操作速度が速くなるように、選局操作速度を算出する。【０１５９】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、操作検出部１１１が検出した時間が２秒以上であれば選局操作速度が速いと判断し、サムネイル表示件数を７件と決定する。また、表示件数決定部２１２は、操作検出部１１１が検出した時間が２秒未満であれば選局操作速度が遅いと判断し、サムネイル表示件数を２件と決定する。【０１６０】
したがって、この場合は、表示件数決定部２１２は、選局操作の押下時間が短いので、ザッピングの選局操作速度が遅いと判断して、サムネイル表示件数を２件と決定する。【０１６１】
そして、チャンネル決定部２１３は、現在視聴しているチャンネル番号の次のチャンネル２件分を表示対象のチャンネルと決定し、表示部２１６は、チャンネル決定部２１３が決定したチャンネル２件分の番組情報を出力し、モニター１０９に表示させる（画面３３２）。なお、ユーザーがその後のCH-Upキー３２１、３２２を押下した時の画面イメージ（画面３３３〜３３５）は、図６Ａに示されたCH-Upキー３０２、３０３を押下した時の画面イメージと同様であるため、説明を省略する。【０１６２】
図１４Ｂは、選局操作速度が速い場合の選局操作の押下タイミングとその時に表示される画面イメージを表している。【０１６３】
同図に示す通り、CH-Upキー３２３の押下によりチャンネル３（画面３３７）に遷移した後で、CH-Upキー３２３が２．５秒間押下される。この場合、表示件数決定部２１２は選局操作の押下時間が長いので、ザッピングの選局操作速度が速いと判断して、サムネイル表示件数を７件と決定する。そして、表示部２１６は、７件分の番組情報をモニター１０９に表示させる（画面３３８）。なお、ユーザーがその後のCH-Upキー３２４、３２５を押下した時の画面イメージ（画面３３９〜３４１）は、図６Ｂに示されたCH-Upキー３０６、３０７を押下した時の画面イメージと同様であるため、説明を省略する。【０１６４】
次に、図１５のフローチャートを説明する。【０１６５】
図１５は、本発明の実施の形態３における一定時間長押ししたことを基準としたサムネイル表示を行う方法を示したフローチャートである。【０１６６】
前提としては、図１１のフローチャートで説明した内容と同様である。【０１６７】
まず、操作検出部１１１を介してユーザーから選局操作のキーコードが操作速度算出部２１１に入力される。操作速度算出部２１１は、入力されたキーコードがCH-Up/Downキーであるか否かを判断して（ＳＴ４２０１）、CH-Up/Downキーであれば（ＳＴ４２０１でＹ）、キーの押下時間を計測する（ＳＴ４２０２）。【０１６８】
そして、操作速度算出部２１１は、現在モニター１０９にサムネイルが表示されているか否かを判断する（ＳＴ４２０３）。操作速度算出部２１１は、サムネイルが表示されていないと判断した場合（ＳＴ４２０３でＮ）、押下時間が０．５秒以上か否かを判断する（ＳＴ４２０４）。【０１６９】
そして、操作速度算出部２１１が、押下時間が０．５秒以上であると判断した場合（ＳＴ４２０４でＹ）、表示件数決定部２１２は、押下時間が２秒以上か否かを判断する（ＳＴ４２０５）。表示件数決定部２１２は、押下時間が２秒未満であると判断した場合（ＳＴ４２０５でＮ）、サムネイル表示件数を２件に決定し（ＳＴ４２０７）、押下時間が２秒以上であると判断した場合（ＳＴ４２０５でＹ）、サムネイル表示件数を７件に決定する（ＳＴ４２０６）。そして、図１１のＳＴ４００８〜ＳＴ４００９での処理と同様に、表示対象のチャンネルを決定し（ＳＴ４２０８）、サムネイル表示更新を行う（ＳＴ４２０９）。【０１７０】
また、操作速度算出部２１１は、現在モニター１０９にサムネイルが表示されていると判断した場合（ＳＴ４２０３でＹ）、チャンネル決定部２１３が表示対象のチャンネルを変更し（ＳＴ４２１１）、表示部２１６がサムネイル表示を更新する（ＳＴ４２０９）。【０１７１】
また、操作速度算出部２１１が、押下時間が０．５秒未満であると判断した場合（ＳＴ４２０４でＮ）、放送受信装置１０は、ザッピングが開始されたと判断しないため、次のサービスのための選局が行われる（ＳＴ４２１０）。【０１７２】
なお、本実施の形態１〜３では、サムネイル表示からチャンネルを選局して全画面に戻る方法としては、一定時間が経過した場合でもよく、またユーザーが決定キーを押下することにより全画面表示に戻ってもよい。【０１７３】
なお、本実施の形態１〜３では、サムネイル表示に使用する静止画は、上記のようにザッピングが開始されたと判断された時に、番組情報生成部２１４が、各チャンネルに選局をしてデコードを行い生成している。しかし、サムネイル表示に使用する静止画を取得できるのであれば、第２のデコードを搭載してユーザーがチャンネルを視聴している時に、番組情報生成部２１４が各チャンネルの番組をデコードして静止画を生成しておいてもよい。また、放送局がＴＳとは別経路で送ることができるＤＳＭＣＣなどのデータ送出中に静止画を含んでおき、番組情報生成部２１４が当該静止画を取得することにしてもよい。【０１７４】
（実施の形態４）
本発明の実施の形態４では、放送局から映像/音声/番組に付随するデータを含むある一つのＴＳを受信する上記構成からなる放送受信装置１０において、ザッピング時のユーザーの選局操作速度の変化に応じてサムネイル表示件数を変更する。つまり、本発明の実施の形態４における放送受信装置１０は、ザッピング時のユーザーの選局操作の操作速度に応じたサムネイル表示件数を算出してサムネイル表示を行い、さらにザッピング操作が行われその操作速度が変化した場合、その選局操作速度の変化に応じてサムネイル表示件数を変更する。【０１７５】
まず、ユーザーの操作イメージの一例を図１６Ａ及び図１６Ｂで説明する。なお、同図に示す以外の放送受信装置１０の構成等は、図１〜図５で説明した実施の形態１での構成等と同様であるため、説明を省略する。【０１７６】
図１６Ａ及び図１６Ｂは、本発明の実施の形態４における選局操作の操作速度差を基準としたユーザーの選局操作のタイミングとその時の画面イメージを表した図である。【０１７７】
具体的には、同図は、図３Ｂで示した通り、放送局から放送されているチャンネル数が全部で１２個（チャンネル番号１〜１２）の場合において、チャンネル２を視聴している間に、ユーザーが選局操作にてCH-Upキーを連続して押下した時の選局操作のタイミングとその時の画面イメージを表したイメージ図である。【０１７８】
図１６Ａは、選局操作速度が速くなった場合の選局操作の押下タイミングとその時に表示される画面イメージを表している。【０１７９】
図１６Ａに示す通り、ユーザーはチャンネル２（画面５３０）を視聴している時に、現在他チャンネルではどのような番組が放送されているかを見るために、リモコン１１０のCH-Upキー５００を押下して、チャンネル３（画面５３１）を表示させる。【０１８０】
そして、ユーザーが、CH-Upキー５００を押下した後２秒以内に再度CH-Upキー５０１を押下した場合、放送受信装置１０は、ザッピングが開始されたと判断して、サムネイル表示に遷移する。【０１８１】
具体的には、まず操作検出部１１１が、チャンネルの選局操作であるCH-Upキー５００とCH-Upキー５０１の押下操作を検出する。そして、操作速度算出部２１１は、このCH-Upキー５００とCH-Upキー５０１の押下操作から、チャンネルの選局操作速度を算出する。ここで、CH-Upキー５０１は、CH-Upキー５００押下の１秒後に押下されたこととする。つまり、操作速度算出部２１１は、１秒／回という選局操作速度を算出する。【０１８２】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、選局操作速度が０．５秒／回以内であれば選局操作速度が速いと判断し、サムネイル表示件数を７件と決定する。また、表示件数決定部２１２は、選局操作速度が０．５秒／回より大きければ選局操作速度が遅いと判断し、サムネイル表示件数を２件と決定する。【０１８３】
したがって、この場合は、表示件数決定部２１２は、ザッピングの選局操作速度が遅いと判断して、サムネイル表示件数を２件と決定する。【０１８４】
次に、チャンネル決定部２１３は、表示件数決定部２１２が決定したサムネイル表示件数のチャンネルの番組情報を表示するように、表示対象のチャンネルを決定する。ここでは、チャンネル決定部２１３は、現在視聴しているチャンネル番号の次のチャンネル２件分を表示対象のチャンネルと決定する。【０１８５】
そして、番組情報生成部２１４は、チャンネル決定部２１３が決定したチャンネル２件分の番組情報を生成し、表示位置決定部２１５は、当該番組情報のモニター１０９上の表示位置を決定する。そして、表示部２１６は、チャンネル決定部２１３が決定したチャンネル２件分の番組内容を出力し、モニター１０９に表示させる（画面５３２）。【０１８６】
その後、サムネイル表示をしている間に、ユーザーが、CH-Upキー５００を押下した０．５秒後にCH-Upキー５０２を押下した場合は、操作速度算出部２１１は、０．５秒／回という選局操作速度を算出する。つまり、選局操作時間差が、前回の選局操作時間差の１／２倍になり、選局操作速度は２倍になったので、表示件数決定部２１２は、選局操作速度が速くなったと判断して、サムネイル表示件数を７件に変更する。【０１８７】
そして、チャンネル決定部２１３が表示対象のチャンネルを決定し、番組情報生成部２１４が表示対象チャンネルの番組情報を生成し直して、表示部２１６がサムネイル表示を更新する（画面５３３）。【０１８８】
そして、モニター１０９にサムネイルが表示されており、なおかつ最後の選局操作から５秒経過した場合は、放送受信装置１０は、現在カーソルで選択しているチャンネルを選局して全画面表示に切り替える（画面５３４）。全画面表示（画面５３４）になった後にCH-Upキー５０３が押下された場合は、CH-Upキー５００が押下されたのと同様の処理により、次のチャンネル６（画面５３５）が表示される。【０１８９】
図１６Ｂは、選局操作速度が遅くなった場合の選局操作の押下タイミングとその時に表示される画面イメージを表している。【０１９０】
同図に示す通り、ユーザーは、チャンネル２（画面５３６）を視聴している時に、リモコン１１０のCH-Upキー５０４を押下することにより、チャンネル３（画面５３７）がモニター１０９に表示される。【０１９１】
そして、操作検出部１１１が、CH-Upキー５０４が押下された０．５秒後にCH-Upキー５０５の押下を検出した場合は、操作速度算出部２１１は、０．５秒／回という選局操作速度を算出する。【０１９２】
そして、表示件数決定部２１２は、ザッピングの選局操作速度が速いと判断して、サムネイル表示件数を７件と決定する。そして、チャンネル決定部２１３は、現在視聴しているチャンネル番号の次のチャンネル７件分を表示対象のチャンネルと決定する。そして、番組情報生成部２１４は、チャンネル７件分の番組情報を生成し、表示位置決定部２１５は、当該番組情報のモニター１０９上の表示位置を決定する。【０１９３】
そして、表示部２１６は、チャンネル７件分の番組内容を出力し、モニター１０９に表示させる（画面５３８）。【０１９４】
その後、サムネイル表示をしている間に、ユーザーが、CH-Upキー５０５を押下した１秒後にCH-Upキー５０６を押下した場合は、操作速度算出部２１１は、１秒／回という選局操作速度を算出する。つまり、選局操作時間差が、前回の選局操作時間差の２倍になり、選局操作速度は１／２倍になったので、表示件数決定部２１２は、選局操作速度が遅くなったと判断して、サムネイル表示件数を２件に変更する。【０１９５】
そして、チャンネル決定部２１３が表示対象のチャンネルを決定し、番組情報生成部２１４が表示対象チャンネルの番組情報を生成し直して、表示部２１６がサムネイル表示を更新する（画面５３９）。なお、全画面表示に切り替えなどのリモコン操作による画面（画面５４０、５４１）への遷移は、上記で説明したザッピングの選局操作速度が速くなったと判断された場合と同様である。【０１９６】
図１７は、本発明の実施の形態４における、選局操作速度が速くなったと判断した場合のサムネイル表示時の画面イメージを示す図である。【０１９７】
同図の（ａ）〜（ｄ）に示す画面１〜３のそれぞれは、図１６Ａに示された画面５３１〜５３４である。つまり、図１７の（ｂ）は、ザッピングが開始されたと判断されて選局操作速度が遅い場合のサムネイル表示画面であり、現在視聴中のチャンネル番号の次のチャンネル２件分（チャンネル番号４，５）の番組の静止画と番組名、あらすじが表示される。【０１９８】
また、図１７の（ｃ）は、サムネイル表示をしている間に、さらに選局操作が行われて、選局操作時間差が前回の１／２倍になったので選局操作速度が速くなったと判断した場合であり、サムネイル表示件数が７件に変更される。そして、現在カーソルが選択しているチャンネル番号４と次のチャンネル番号５，６，７と、チャンネル番号４の前のチャンネル番号３，２，１の合計７件分の番組内容が表示される。【０１９９】
図１８は、本発明の実施の形態４における選局操作の操作速度を基準としたサムネイル表示を行う方法を示したフローチャートである。【０２００】
前提としては、放送受信装置１０は、図３Ｂに示されたＭＰＥＧ２−ＴＳの構成を持つＴＳを受信する。また、図１８は、図１６Ａ及び図１６Ｂでのユーザー操作イメージにおいての２回目のCH-Upキー押下によりサムネイル表示がされている間に再度Ch-Upキーが押下された後からのフローチャートを示している。つまり、放送局から放送されているチャンネル数が全部で１２個（チャンネル番号１〜１２）の場合において、ユーザーが、チャンネル２を視聴している間に２回CH-Upキーを押下することでサムネイルが表示されている。また、前回選局操作が行われた時刻が選局操作時刻記憶部２０９に記憶されており、前回の操作時間差も操作速度算出部２１１が記憶しているものとする。【０２０１】
まず、操作検出部１１１を介してユーザーから選局操作のキーコードが操作速度算出部２１１に入力される。操作速度算出部２１１は、入力されたキーコードがCH-Up/Downキーであるか否かを判断する（ＳＴ４３０１）。【０２０２】
そして、操作速度算出部２１１は、入力されたキーコードがCH-Up/Downキーであると判断すれば（ＳＴ４３０１でＹ）、選局操作が行われた現在の時刻を選局操作時刻記憶部２０９に記憶させる（ＳＴ４３０２）。【０２０３】
そして、操作速度算出部２１１は、モニター１０９にサムネイルが表示されているか否かを判断する（ＳＴ４３０３）。前提として２回CH-Upキーが押下されてサムネイルが表示されているので、操作速度算出部２１１は、サムネイルが表示されていると判断する（ＳＴ４３０３でＹ）。【０２０４】
そして、操作速度算出部２１１は、選局が行なわれた現在の時刻と、選局操作時刻記憶部２０９に記憶されている前回の選局操作が行われた時刻とから、２つの選局操作の操作時間差を選局操作速度として算出する（ＳＴ４３０４）。【０２０５】
次に、表示件数決定部２１２は、今算出された操作時間差と記憶されている前回の操作時間差とを比較して、操作時間差が前回の操作時間差の１／２倍以下になったか否かを判断する（ＳＴ４３０５）。そして、表示件数決定部２１２は、操作時間差が前回の１／２倍以下になったと判断した場合（ＳＴ４３０５でＹ）、選局操作速度が速くなったと判断してサムネイル表示件数を７件に変更する（ＳＴ４３０６）。【０２０６】
また、表示件数決定部２１２は、操作時間差が前回の１／２倍よりも大きくなったと判断した場合は（ＳＴ４３０５でＹ）、操作時間差が前回の操作時間差の２倍以上になったか否かを判断する（ＳＴ４３０９）。そして、表示件数決定部２１２は、操作時間差が前回の２倍以上になったと判断した場合（ＳＴ４３０９でＹ）、選局操作速度が遅くなったと判断してサムネイル表示件数を２件に変更する。【０２０７】
次に、チャンネル決定部２１３は、CH-Up/Downキーの操作方向に応じて現在視聴しているチャンネル番号の次のチャンネル、もしくは前後のチャンネルからサムネイル表示件数分の表示対象のチャンネルを決定する（ＳＴ４３０７）。また、表示件数決定部２１２が、操作時間差が前回の２倍未満であると判断した場合は（ＳＴ４３０９でＮ）、操作速度がほぼ変化していないので表示件数の変更は行わずに、チャンネル決定部２１３は、表示対象のチャンネルを変更し決定する（ＳＴ４３０７）。【０２０８】
番組情報生成部２１４は、サムネイル表示対象として決定したチャンネルの番組情報を生成してサムネイル表示を更新するために、チャンネル番号に対応されたＰＭＴに含まれている映像データをＡＶデコードして任意の再生時刻で停止させて静止画を生成する。また、番組情報生成部２１４は、前記のＰＭＴと同じサービスＩＤを持つＥＩＴの中から番組名、あらすじなどを取得して番組データを生成する。そして、表示位置決定部２１５は、チャンネル情報記憶部２０８に記憶されているチャンネル番号と決定されたサムネイル表示件数とから、表示対象のチャンネルの番組情報を画面上のどの位置に表示するかを決定する。そして、表示部２１６は、生成された表示対象チャンネルの番組情報をモニター１０９に出力してサムネイル表示を行う（ＳＴ４３０８）。【０２０９】
以上のようにして、本発明の実施の形態４では、実施の形態１〜３のようにサムネイルが表示されている間に、選局操作が行われてもサムネイル表示件数を変化せず対象のチャンネルを変更するのとは異なり、ユーザーの意思によりサムネイル表示後もサムネイル表示件数を変更することができる。【０２１０】
その結果、サムネイル表示中であっても、ユーザーの意思によりサムネイル表示件数を増減させることができるため、チャンネル数が多い場合においてもユーザーは自分にとって番組内容を確認しやすいチャンネル表示件数の中から所望の番組を速やかに選択することができる。【０２１１】
なお、本実施の形態４では、選局操作速度が変化したことにより変更するサムネイル表示件数を２件又は７件と固定して説明したが、操作速度が速くなった場合はサムネイル表示件数が増加して、操作速度が遅くなった場合はサムネイル表示件数が減少するのであればどのような件数でもよい。また、変更するサムネイル表示件数を決定する時の操作時間差の基準も上記の数値に限定するものではなく任意の数値でよい。【０２１２】
つまり、例えば、操作速度が速くなった場合はサムネイル表示件数が現在のサムネイル表示件数の２倍に増加し、操作速度が遅くなった場合はサムネイル表示件数が現在のサムネイル表示件数の１／２倍に減少することにしてもよい。【０２１３】
なお、この場合、選局操作速度が変化したことにより変更するサムネイル表示件数が、表示可能な最大件数を超えている場合は、サムネイル表示件数を最大件数に変更してもよい。また、変更するサムネイル表示件数が１件になった場合は、全画面に戻ってもよい。【０２１４】
また、本実施の形態４では、表示件数決定部２１２は、選局操作時間差から算出された選局操作速度からサムネイル表示件数を決定することとしたが、表示件数決定部２１２は、一定時間内の操作回数、又は同じキーを一定時間長押しすることにより算出される選局操作速度から、サムネイル表示件数を決定することにしてもよい。【０２１５】
なお、本実施の形態１〜４では、表示件数決定部２１２は、サムネイル表示中のサムネイル表示件数をザッピングの選局操作速度から決定するとして説明したが、左右キーによりサムネイル表示件数を増減させてもよい。また、数字キーでサムネイル表示件数を直接変更してもよい。【０２１６】
つまり、操作検出部１１１は、チャンネルの選局操作以外の操作も検出し、表示件数決定部２１２は、当該操作が検出された場合に、当該操作に対応付けて予め定められた数値をサムネイル表示件数として決定することにしてもよい。【０２１７】
このようにすることで、ユーザーが特定のボタンを押下することで、表示するチャンネル件数の増減を物理的に行うことができる。このため、チャンネル数が多い場合においても、ユーザーは所望の番組を速やかに選択することができる。【０２１８】
以上、実施の形態１〜４を用いて、本発明に係る放送受信装置１０について説明を行ったが、実施の形態１〜４における放送受信装置１０は、さらに、以下の変形例に示す機能を備えていてもよい。【０２１９】
（変形例１）
本変形例１における放送受信装置１０は、表示件数決定部２１２が、チャンネルの選局操作を行うユーザーの個人情報に基づいて、サムネイル表示件数を決定する。ここで、ユーザーの個人情報とは、ユーザーの年齢である。【０２２０】
図１９Ａ及び図１９Ｂは、変形例１における放送受信装置１０の機能を説明する図である。【０２２１】
まず、図１９Ａに示すように、ユーザーは２５歳であるとする。【０２２２】
そして、表示件数決定部２１２は、ユーザーの年齢が予め定められた第１の年齢以上であり、かつ第１の年齢よりも大きい第２の年齢未満の場合に、ユーザーの年齢が第１の年齢未満又は第２の年齢以上の場合よりも、サムネイル表示件数が多くなるように、サムネイル表示件数を決定する。ここでは、第１の年齢は２０歳であり、第２の年齢は３０歳である。【０２２３】
つまり、同図に示すように、ユーザーが２５歳の場合は、２０歳以上かつ３０歳未満であるので、表示件数決定部２１２は、２０歳未満、又は３０歳以上のユーザーよりも、サムネイル表示件数を多く決定する。ここでは、ユーザーが２０歳未満、又は３０歳以上の場合に５件のサムネイルが表示されることとし、表示件数決定部２１２は、２５歳のユーザーに対してサムネイル表示件数を７件と決定する。【０２２４】
次に、図１９Ｂに示すように、ユーザーは７０歳であるとする。【０２２５】
そして、表示件数決定部２１２は、ユーザーの年齢が予め定められた第３の年齢以上の場合に、ユーザーの年齢が増えるほど、サムネイル表示件数が少なくなるように、サムネイル表示件数を決定する。ここでは、第３の年齢は６０歳である。【０２２６】
つまり、同図に示すように、ユーザーが７０歳の場合は、６０歳以上であるため、表示件数決定部２１２は、６０歳未満のユーザーよりも、サムネイル表示件数を少なく決定する。ここでは、ユーザーが３０歳以上６０歳未満の場合に５件のサムネイルが表示されることとし、表示件数決定部２１２は、７０歳のユーザーに対してサムネイル表示件数を２件と決定する。【０２２７】
また、例えば、表示件数決定部２１２は、ユーザーが６５歳の場合はサムネイル表示件数を４件と決定し、ユーザーが６８歳の場合はサムネイル表示件数を３件と決定する。このように、ユーザーの年齢が上がるほどサムネイルの内容が見やすくなるように、サムネイル表示が行われる。【０２２８】
このように、ユーザーは、年齢層に応じたチャンネル件数の中から、所望の番組を速やかに選択することができる。【０２２９】
なお、本変形例１では、ユーザーの個人情報とは、ユーザーの年齢であることとしたが、ユーザーの個人情報とは、ユーザーのチャンネルの選局操作の間隔又は所定の時間内での選局操作の回数の実績であることにしてもよい。【０２３０】
つまり、表示件数決定部２１２は、ユーザーのチャンネルの選局操作の間隔又は所定の時間内での選局操作の回数の実績から、当該間隔が短い又は当該回数が多いユーザーほど、サムネイル表示件数が少なくなるように、サムネイル表示件数を決定することにしてもよい。【０２３１】
このように、学習制御などによって記録されたユーザー個人の操作間隔記録や操作回数記録によって、表示するチャンネル件数を決定することができる。このため、チャンネル数が多い場合においても、ユーザーは所望の番組を速やかに選択することができる。【０２３２】
上述の例では、放送受信装置１０は、個人情報とサムネイル表示件数との関係（上述の例では年齢とサムネイル表示件数との関係）を予め保持しておき、個人情報の特定がなされた後、特定した個人情報に対応するサムネイル表示件数を、予め保持した個人情報とサムネイル表示件数との関係に基づいて決定するようにしたものである。【０２３３】
ここで個人情報としては、上述の年齢に限定される必要はなく、例えば、指紋データ、生年月日、指紋データと好みのジャンル、またはこれらの組み合わせとしてもよい。【０２３４】
指紋を個人情報とする場合、例えば指紋データと個人とが関連付けられた個人情報を、予め放送受信装置１０が保持しておく。そして、例えばリモコン１１０に設けられた指紋センサなどの指紋認識部（図示せず）により指紋が読み取られたとき、放送受信装置１０は、この保持する指紋データと個人とが関連付けられた個人情報の中から、読み取られた指紋データに合致する個人情報を特定し、特定した個人情報に基づくサムネイル表示件数を決定しても良い。【０２３５】
また、生年月日、好みのジャンルを個人情報とする場合には、例えば入力情報（この例では、生年月日または好みのジャンル）と個人とが関連付けられた個人情報を、予め放送受信装置１０が保持しておく。そして、例えばリモコン１１０により入力情報が入力されたとき、放送受信装置１０は、この保持する入力情報と個人とが関連付けられた個人情報の中から、入力情報に合致する個人情報を特定し、特定した個人情報に基づくサムネイル表示件数を決定しても良い。【０２３６】
また、好みのジャンルといったように個人間で比較的同じ情報が入力され個人の特定に寄与しない可能性が予想される場合には、別の入力情報（例えば、生年月日、年齢）などを組み合わせたものを入力情報としてもよい。【０２３７】
また、携帯電話（図示せず）がリモコン１１０に用いられても良い。この場合、携帯電話を識別するための情報と個人とが関連付けられた個人情報を、予め放送受信装置１０が保持しておく。そして、放送受信装置１０は、リモコン１１０として利用される携帯電話から入力があった場合、携帯電話を識別するための情報と個人とが関連付けられた個人情報の中から、今回入力のあった携帯電話に対応する個人情報を特定し、特定した個人情報に基づくサムネイル表示件数を決定しても良い。【０２３８】
（変形例２）
本変形例２における放送受信装置１０は、チャンネル決定部２１３が、表示する放送コンテンツの種類の優先度に基づいて、表示対象のチャンネルを決定する。【０２３９】
図２０Ａ及び図２０Ｂは、変形例２における放送受信装置１０の機能を説明する図である。【０２４０】
まず、放送コンテンツの種類の優先度として、バラエティ番組の優先度が高く設定されているものとする。【０２４１】
この場合、図２０Ａに示すように、チャンネル決定部２１３は、バラエティ番組が優先的に表示されるように、表示対象のチャンネルを決定する。そして、表示部２１６は、決定された表示対象のチャンネルの番組情報をモニター１０９に出力し、モニター１０９に表示させる。【０２４２】
このように、ユーザーが見たいジャンルの番組の優先度を高くしておくことで、当該ジャンルの番組情報を表示するように、表示対象のチャンネルを決定することができる。このため、チャンネル数が多い場合においても、ユーザーは所望の番組を速やかに選択することができる。【０２４３】
また、チャンネル決定部２１３は、当該優先度が切り替えられた場合に、切り替え後の優先度に応じた表示対象のチャンネルを決定する。つまり、優先度がバラエティ番組よりも報道番組の方が高いように切り替えられた場合に、チャンネル決定部２１３は、報道番組が優先的に表示されるように、表示対象のチャンネルを決定する。【０２４４】
このように、ユーザーが、番組のジャンル単位で見たいジャンルを切り替えることで、切り替えられたジャンルの番組情報を表示するように、表示対象のチャンネルを決定することができる。このため、チャンネル数が多い場合においても、ユーザーは所望の番組を速やかに選択することができる。【０２４５】
また、本変形例２では、チャンネル決定部２１３が、当該優先度に応じた表示対象のチャンネルを決定することにしたが、チャンネル決定部２１３は当該優先度に応じた決定を行わず、表示部２１６が、表示対象のチャンネルのうち、放送コンテンツの種類の優先度が高いチャンネルほど、番組情報が大きく表示されるように出力することにしてもよい。【０２４６】
具体的には、放送コンテンツの種類の優先度として、バラエティ番組の優先度が高く設定されているものとする。【０２４７】
この場合、図２０Ｂに示すように、表示部２１６は、表示対象のチャンネル（チャンネル番号２〜７）のうち、バラエティ番組（チャンネル番号２，４，７）が大きく表示されるようにモニター１０９に出力し、モニター１０９に表示させる。【０２４８】
このように、ユーザーが見たいジャンルの番組の優先度を高くしておくことで、当該ジャンルの番組情報が大きく表示される。このため、チャンネル数が多い場合においても、ユーザーは所望の番組を速やかに選択することができる。【０２４９】
（変形例３）
本変形例３における放送受信装置１０は、チャンネル数がサムネイル表示件数よりも多い場合に、チャンネル決定部２１３が、カーソルを進めていく順に通過したチャンネルを新しいチャンネルに切り替えていく。【０２５０】
図２１は、変形例３における放送受信装置１０の機能を説明する図である。【０２５１】
同図の（ａ）に示すように、表示部２１６がチャンネル番号１〜７の番組情報を出力し、モニター１０９に当該番組情報が表示されているとする。そして、ユーザーがチャンネル番号７，６，５の番組情報にカーソルを進めて当該番組情報を選択し、カーソルがチャンネル５〜７の番組情報を通過したとする。【０２５２】
そして、ユーザーがチャンネル番号４の番組情報にカーソルを進めて当該番組情報を選択した際に、同図の（ｂ）に示すように、チャンネル決定部２１３は、選択が行われて通過したチャンネル番号５〜７の番組情報を新しいチャンネルの番組情報に切り替える。この新しいチャンネルの番組情報とは、表示部２１６が出力したチャンネル番号１〜７とは異なるチャンネルの番組情報であり、具体的には、チャンネル番号１１，１２の番組情報である。つまり、表示部２１６は、チャンネル番号５〜７の番組情報に替えて、チャンネル番号１１，１２の番組情報を出力し、モニター１０９に表示させる。【０２５３】
このように、チャンネル決定部２１３は、表示部２１６が出力したチャンネルの番組情報のうち選択が行われたチャンネルの番組情報に替えて、表示部２１６が出力していないチャンネルの番組情報を出力するように、表示対象のチャンネルを決定する。【０２５４】
このようにすることで、ユーザーが表示された番組情報を選択する際に、カーソルを進めていくことで番組情報が選択されていく順に、選択が終了して通過したチャンネルの番組情報を新しいチャンネルの番組情報に切り替える。これにより、次々に新しいチャンネルを表示することができる。このため、チャンネル数が多い場合においても、ユーザーは所望の番組を速やかに選択することができる。【０２５５】
なお、チャンネル決定部２１３は、カーソルでチャンネル番号が選択されても、「選局中」などにより番組情報が表示されなかったチャンネルについては、継続して表示を行うように、表示対象のチャンネルを決定してもよい。【０２５６】
（変形例４）
本変形例４における放送受信装置１０は、表示部２１６が、表示されているチャンネルの番組情報のうち、選択が行われているチャンネルの番組情報が最も大きく表示されるように、モニター１０９に出力する。【０２５７】
図２２Ａ及び図２２Ｂは、変形例４における放送受信装置１０の機能を説明する図である。【０２５８】
図２２Ａに示すように、ユーザーが、表示されているチャンネル番号１〜７の番組情報のうち、チャンネル番号４の番組情報にカーソルを進めることで、当該番組情報が選択される。そして、表示部２１６は、選択されたチャンネル番号４の番組情報が大きく表示されるようにモニター１０９に出力し、モニター１０９にチャンネル番号４の番組情報が大きく表示される。【０２５９】
また、図２２Ｂに示すように、モニター１０９が２画面表示可能な場合は、左右２画面の例えば左画面に、このチャンネル番号４の番組情報を大きく表示することにしてもよい。【０２６０】
このように、ユーザーが表示された番組情報を選択する際に、ユーザーが番組情報の内容を見やすいように、カーソルが当たって選択されている番組情報を大きく表示することができる。このため、チャンネル数が多い場合においても、ユーザーは所望の番組を速やかに選択することができる。【０２６１】
また、表示部２１６は、選択が行われているチャンネルの番組情報の近くに表示されているチャンネルの番組情報ほど大きく表示されるように出力することにしてもよい。【０２６２】
つまり、図２２Ａに示すように、選択されているチャンネル番号４の番組情報が最も大きく表示され、チャンネル番号４から遠ざかるほど、番組情報が小さく表示される。具体的には、チャンネル番号４，３，２，１の順に番組情報が小さく表示され、また、チャンネル番号４，５，６，７の順に番組情報が小さく表示される。【０２６３】
このように、ユーザーが表示された番組情報を選択する際に、カーソルが当たって選択されている番組情報を最も大きく表示し、当該番組情報から遠ざかる順に、番組情報を小さく表示する。このため、チャンネル数が多い場合においても、ユーザーは所望の番組を速やかに選択することができる。【０２６４】
（変形例５）
本変形例５における放送受信装置１０は、番組情報生成部２１４が、ＴＳに重畳された番組情報から、又は複数チューナー環境で空いたチューナーを介して生成される番組情報から、表示対象のチャンネルの番組情報を生成する。【０２６５】
図２３は、変形例５における放送受信装置１０の機能を説明する図である。【０２６６】
同図に示すように、番組情報生成部２１４は、ＴＳに重畳された番組情報から表示対象のチャンネルの番組情報を取得し、生成する（同図のＡ）。そして、表示部２１６は、ＴＳに重畳された番組情報から取得される表示対象のチャンネルの番組情報を表示する。【０２６７】
また、同図に示すように、放送受信装置１０は、チューナー部１０１を複数備え、番組情報生成部２１４は、放送コンテンツの受信に使用されていないチューナー部１０１を介して、表示対象のチャンネルの番組情報を生成する（同図のＢ）。そして、表示部２１６は、放送コンテンツの受信に使用されていないチューナー部１０１を介して生成される表示対象のチャンネルの番組情報を表示する。これにより、番組情報をリアルタイムに表示することができる。【０２６８】
なお、図１や図５に示されたブロック図の各機能ブロックは典型的には集積回路であるＬＳＩとして実現される。これらは個別に１チップ化されても良いし、一部又は全てを含むように１チップ化されても良い。具体的には、例えば、図２４に示すように、図１に示されたケーブルカードインタフェース１０６及びＨＤＤ１１２（図２４のＸで示す部分）以外の機能ブロックが１チップ化されていても良い。【０２６９】
ここでは、ＬＳＩとしたが、集積度の違いにより、ＩＣ、システムＬＳＩ、スーパーＬＳＩ、ウルトラＬＳＩと呼称されることもある。【０２７０】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。【０２７１】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。【０２７２】
以上、本発明に係る放送受信装置について、上記実施の形態およびその変形例を用いて説明したが、本発明は、これに限定されるものではない。【０２７３】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２７４】
本発明にかかる放送受信装置は、ザッピングにより所望の番組を速やかに選択することができるという効果を有し、アナログ及びデジタルテレビ放送を受信することができる放送受信装置として有用である。
【図１】
2009050872.tif 000003
【図２】
2009050872.tif 000004
【図３Ａ】
2009050872.tif 000005
【図３Ｂ】
2009050872.tif 000006
【図４】
2009050872.tif 000007
【図５】
2009050872.tif 000008
【図６Ａ】
2009050872.tif 000009
【図６Ｂ】
2009050872.tif 000010
【図７】
2009050872.tif 000011
【図８】
2009050872.tif 000012
【図９】
2009050872.tif 000013
【図１０】
2009050872.tif 000014
【図１１】
2009050872.tif 000015
【図１２Ａ】
2009050872.tif 000016
【図１２Ｂ】
2009050872.tif 000017
【図１３】
2009050872.tif 000018
【図１４Ａ】
2009050872.tif 000019
【図１４Ｂ】
2009050872.tif 000020
【図１５】
2009050872.tif 000021
【図１６Ａ】
2009050872.tif 000022
【図１６Ｂ】
2009050872.tif 000023
【図１７】
2009050872.tif 000024
【図１８】
2009050872.tif 000025
【図１９Ａ】
2009050872.tif 000026
【図１９Ｂ】
2009050872.tif 000027
【図２０Ａ】
2009050872.tif 000028
【図２０Ｂ】
2009050872.tif 000029
【図２１】
2009050872.tif 000030
【図２２Ａ】
2009050872.tif 000031
【図２２Ｂ】
2009050872.tif 000032
【図２３】
2009050872.tif 000033
【図２４】
2009050872.tif 000034
【手続補正書】
【提出日】平成21年1月28日(2009.1.28)
【手続補正１】
【補正対象書類名】明細書
【補正対象項目名】全文
【補正方法】変更
【補正の内容】
【発明の詳細な説明】
【技術分野】
【０００１】
本発明は、アナログ及びデジタルテレビ放送を受信することができる放送受信装置に関し、特に所望の番組を、迅速かつ確実に選択することができるようにする放送受信装置に関するものである。
【背景技術】
【０００２】
近年、テレビ放送はアナログ技術からデジタル技術への転換という変革期を迎えており、ＢＳ、ＣＳをはじめとする衛星放送やケーブル放送だけでなく、地上波放送のデジタル化も進んでいる。デジタル放送では、ＭＰＥＧ２で圧縮した映像、音声と番組に付随するデータが流され、従来のアナログ放送と比べてチャンネル数を１００以上確保することが可能であるため、多くの番組を放送することができる。
【０００３】
また、一般的に、テレビを視聴しているユーザーは、チャンネル選局のボタンであるCH-Up/Downキーを押下する（以後、選局操作という）ことにより、チャンネルを次々と切り替えて所望の番組を選択する（以後、ザッピングという）。このザッピングは、予め決めておいた視聴したい番組を検索するために行われる場合もあるが、多くは、現在視聴している番組が気に入らず、他のチャンネルではどんな番組が放送されているかを目で見て判断して視聴する番組を選局するために行われる。
【０００４】
しかし、ザッピングを行っても、ＡＶ（Ａｕｄｉｏ／Ｖｉｓｕａｌ）を表示するために必要なＩフレーム（Ｉｎｔｒａ−ｃｏｄｅｄ  Ｆｒａｍｅ）は、通常０．５秒に１回だけ配信される。このため、Ｉフレームの取得までに時間がかかったり、Ｉフレームを取得して映像／音声のデコードを開始していても、機器に設定されているペアレンタルロック情報などの視聴制限の確認を行ったりするために、ＡＶをすぐに表示することができない。そのため、選局操作を行っても次のチャンネルのＡＶはすぐには表示されず、黒画が表示されてしまう。このため、ユーザーは自らの選局操作により機器で何が起きているかも分からず、スムースな選局操作をすることができずに、所望の番組を速やかに選局することができないという問題がある。
【０００５】
上記の問題を解決するための方法として、電子番組ガイド（以後、ＥＰＧという）を使用した技術がすでに知られている。放送局はＥＰＧを配信することで、各チャンネルにおける放送予定の番組内容を時間帯別に表示することができるようにしており、ユーザーはこのＥＰＧから所望の番組を選択して視聴することができる。
【０００６】
しかし、ＥＰＧを起動するためには、ＥＰＧ機能が割り当てられているキーをわざわざ押下しなければならない。従って、ＥＰＧを使用した番組の選局変更では、ザッピングの特徴である何気なく現在視聴している番組を切替えて所望の番組を選局するという利用方法とは異なる。
【０００７】
このため、特別なキーの押下をせず現在放送中の番組内容を確認する方法として、ザッピングの開始を自動的に検出して、放送中の全ての番組内容（チャンネル番号、番組名や静止画など）を一覧表示させる放送受信装置が提案されている（例えば、特許文献１参照）。
【特許文献１】特開２００７−５８７３号公報
【発明の開示】
【発明が解決しようとする課題】
【０００８】
しかしながら、従来の放送受信装置では、ユーザーが速やかに所望の番組を選択することが難しいという課題がある。
【０００９】
すなわち、チャンネル数が１００以上放送可能となっている今日では、ＥＰＧを使用すると現在放送中の番組内容（チャンネル番号、番組名など）以外の番組内容も一度に表示されてしまう。このため、ユーザーは膨大な番組数の中から一つずつ番組内容を確認して所望の番組を選択することになる。そして、放送中の全てのチャンネルの番組内容が一覧表示されると、一つの番組の表示領域は小さくなってしまうため、ユーザーが番組内容を確認するのは困難である。したがって、ユーザーがその中から速やかに所望の番組を選択することは難しく、実際に利用されない可能性が高い。
【００１０】
そこで、本発明は、このような課題を解決するものであり、ザッピングにより所望の番組を速やかに選択することができる放送受信装置を提供することを目的とする。
【課題を解決するための手段】
【００１１】
前記課題を解決するために、本発明に係る放送受信装置は、放送コンテンツを受信し、受信された前記放送コンテンツの情報を、前記放送コンテンツが受信されたチャンネルの番組情報として出力する放送受信装置であって、チャンネルの選局操作を検出する選局操作検出部と、検出された前記チャンネルの選局操作から、チャンネルの選局操作速度を算出する操作速度算出部と、算出された前記選局操作速度に基づいて、前記番組情報を表示するチャンネル件数を決定する表示件数決定部と、決定された前記チャンネル件数のチャンネルの番組情報を表示するように、表示対象のチャンネルを決定するチャンネル決定部と、決定された前記表示対象のチャンネルの番組情報を出力する表示部とを備える。
【００１２】
これによれば、ＥＰＧを起動させるような特定のキーを押すこともなく、ユーザーの選局操作により、ザッピング開始と共に現在放送されている各チャンネルの番組内容の一覧表示（以後、サムネイル表示という）を表示することができる。また、その選局操作の操作速度に応じて、サムネイル表示するチャンネル数（以後、サムネイル表示件数という）を変更することができる。このため、チャンネル数が多い場合においても、ユーザーは自分にとって番組内容を確認しやすいチャンネル表示件数の中から、所望の番組を速やかに選択することができる。
【００１３】
また、好ましくは、前記表示件数決定部は、算出された前記選局操作速度が速いほど、前記チャンネル件数が多くなるように、前記チャンネル件数を決定する。
【００１４】
これによれば、選局操作速度が速いほどチャンネル件数が多くなるように、チャンネル件数が決定され、決定されたチャンネル件数の番組情報を表示することにより、ユーザーは所望の番組を速やかに選択することができる。
【００１５】
また、前記操作速度算出部は、前記操作検出部が検出した連続する２つのチャンネルの選局操作の間の時間が短いほど、前記選局操作速度が速くなるように、前記選局操作速度を算出してもよい。
【００１６】
これによれば、ザッピング検出後に、直近のキー操作とその直前のキー操作との間隔により、選局操作速度が算出される。これにより、決定されたチャンネル件数の番組情報を表示することにより、ユーザーは所望の番組を速やかに選択することができる。
【００１７】
また、前記操作速度算出部は、所定の時間内に前記操作検出部がチャンネルの選局操作を検出した回数が多いほど、前記選局操作速度が速くなるように、前記選局操作速度を算出してもよい。
【００１８】
これによれば、ザッピング検出後の一定時間におけるキー操作の回数により、選局操作速度が算出される。これにより、決定されたチャンネル件数の番組情報を表示することにより、ユーザーは所望の番組を速やかに選択することができる。
【００１９】
また、前記操作検出部は、１つのチャンネルが選局操作されている時間を検出し、前記操作速度算出部は、検出された前記時間が長いほど、前記選局操作速度が速くなるように、前記選局操作速度を算出してもよい。
【００２０】
これによれば、選局操作のために同じキーを一定時間長押しするなどにより、選局操作速度が算出される。これにより、決定されたチャンネル件数の番組情報を表示することにより、ユーザーは所望の番組を速やかに選択することができる。
【００２１】
また、前記表示件数決定部は、さらに、チャンネルの選局操作を行う操作者の個人情報に基づいて、前記チャンネル件数を決定してもよい。
【００２２】
これによれば、予め記録されているユーザーの個人情報に基づいて、表示するチャンネル件数を決定することで、ユーザーは所望の番組を速やかに選択することができる。
【００２３】
また、前記表示件数決定部は、操作者の年齢が予め定められた第１の年齢以上であり、かつ前記第１の年齢よりも大きい第２の年齢未満の場合に、操作者の年齢が前記第１の年齢未満又は前記第２の年齢以上の場合よりも、前記チャンネル件数が多くなるように、前記チャンネル件数を決定してもよい。
【００２４】
これによれば、例えば、ユーザーが若い年齢である２０歳以上３０歳未満の場合に、表示するチャンネル件数が、他の年齢層よりも多くなるように決定することができる。このため、ユーザーは、年齢層に応じたチャンネル件数の中から、所望の番組を速やかに選択することができる。
【００２５】
また、前記表示件数決定部は、操作者の年齢が予め定められた第３の年齢以上の場合に、操作者の年齢が増えるほど、前記チャンネル件数が少なくなるように、前記チャンネル件数を決定してもよい。
【００２６】
これによれば、例えば、ユーザーが６０歳以上の場合に、ユーザーが表示される番組情報を見やすいように、ユーザーの年齢が増加するほど表示するチャンネル件数が段階的に少なくなるように決定することができる。このため、チャンネル数が多い場合においても、ユーザーは所望の番組を速やかに選択することができる。
【００２７】
また、前記表示件数決定部は、操作者のチャンネルの選局操作の間隔又は所定の時間内での選局操作の回数の実績から、前記間隔が短い又は前記回数が多い操作者ほど、前記チャンネル件数が少なくなるように、前記チャンネル件数を決定してもよい。
【００２８】
これによれば、学習制御などによって記録されたユーザー個人の操作間隔記録や操作回数記録によって、表示するチャンネル件数を決定することができる。このため、チャンネル数が多い場合においても、ユーザーは所望の番組を速やかに選択することができる。
【００２９】
また、前記チャンネル決定部は、表示する前記放送コンテンツの種類の優先度に基づいて、前記表示対象のチャンネルを決定してもよい。
【００３０】
これによれば、ユーザーが見たいジャンルの番組の優先度を高くしておくことで、当該ジャンルの番組情報を表示するように、表示対象のチャンネルを決定することができる。このため、チャンネル数が多い場合においても、ユーザーは所望の番組を速やかに選択することができる。
【００３１】
また、前記チャンネル決定部は、前記優先度が切り替えられた場合に、前記切り替え後の優先度に応じた表示対象のチャンネルを決定してもよい。
【００３２】
これによれば、ユーザーが、番組のジャンル単位で見たいジャンルを切り替えることで、切り替えられたジャンルの番組情報を表示するように、表示対象のチャンネルを決定することができる。このため、チャンネル数が多い場合においても、ユーザーは所望の番組を速やかに選択することができる。
【００３３】
また、前記表示部は、決定された前記表示対象のチャンネルのうち、前記放送コンテンツの種類の優先度が高いチャンネルほど、番組情報が大きく表示されるように出力してもよい。
【００３４】
これによれば、ユーザーが見たいジャンルの番組の優先度を高くしておくことで、当該ジャンルの番組情報が大きく表示される。このため、チャンネル数が多い場合においても、ユーザーは所望の番組を速やかに選択することができる。
【００３５】
また、前記操作検出部は、さらに、チャンネルの選局操作以外の操作を検出し、前記表示件数決定部は、前記操作が検出された場合に、前記操作に対応付けて予め定められた数値を前記チャンネル件数として決定してもよい。
【００３６】
これによれば、ユーザーが特定のボタンを押下することで、表示するチャンネル件数の増減を物理的に行うことができる。このため、チャンネル数が多い場合においても、ユーザーは所望の番組を速やかに選択することができる。
【００３７】
また、前記チャンネル決定部は、前記表示部が出力したチャンネルの番組情報のうち選択が行われたチャンネルの番組情報に替えて、前記表示部が出力していないチャンネルの番組情報を出力するように、前記表示対象のチャンネルを決定してもよい。
【００３８】
これによれば、ユーザーが表示された番組情報を選択する際に、カーソルを進めていくことで番組情報が選択されていく順に、選択が終了して通過したチャンネルの番組情報を新しいチャンネルの番組情報に切り替える。これにより、次々に新しいチャンネルを表示することができる。このため、チャンネル数が多い場合においても、ユーザーは所望の番組を速やかに選択することができる。
【００３９】
また、前記表示部は、表示されたチャンネルの番組情報のうち、選択が行われているチャンネルの番組情報が最も大きく表示されるように出力してもよい。
【００４０】
これによれば、ユーザーが表示された番組情報を選択する際に、ユーザーが番組情報の内容を見やすいように、カーソルが当たって選択されている番組情報を大きく表示することができる。このため、チャンネル数が多い場合においても、ユーザーは所望の番組を速やかに選択することができる。
【００４１】
また、前記表示部は、前記選択が行われているチャンネルの番組情報の近くに表示されているチャンネルの番組情報ほど大きく表示されるように出力してもよい。
【００４２】
これによれば、ユーザーが表示された番組情報を選択する際に、カーソルが当たって選択されている番組情報を最も大きく表示し、当該番組情報から遠ざかる順に、番組情報を小さく表示する。このため、チャンネル数が多い場合においても、ユーザーは所望の番組を速やかに選択することができる。
【００４３】
また、本発明は、このような放送受信装置として実現できるだけでなく、その装置を構成する各処理部を備え当該放送受信装置を制御する集積回路として実現したり、当該各処理部の処理をステップとする方法として実現したりすることができる。さらに、本発明は、それらステップをコンピュータに実行させるプログラムとして実現したり、そのプログラムを記録したコンピュータ読み取り可能なＣＤ−ＲＯＭなどの記録媒体として実現したり、そのプログラムを示す情報、データ又は信号として実現したりすることもできる。そして、それらプログラム、情報、データ及び信号は、インターネット等の通信ネットワークを介して配信してもよい。
【発明の効果】
【００４４】
以上説明したように、本発明によれば、チャンネル数が多い場合においても、ユーザーは自分にとって番組内容を確認しやすいチャンネル表示件数の中から、所望の番組を速やかに選択することができる。
【発明を実施するための最良の形態】
【００４５】
以下、本発明の実施の形態について、図面を参照しながら詳細に説明する。
【００４６】
（実施の形態１）
まず初めに、本発明の実施の形態１について説明する。
【００４７】
図１は、本発明の実施の形態１における放送受信装置のハードウェア構成を示す図である。
【００４８】
放送受信装置１０は、デジタル著作物である放送コンテンツを受信し、受信された放送コンテンツの情報を、当該放送コンテンツが受信されたチャンネルの番組情報として出力し、モニターに表示させる装置である。
【００４９】
同図に示すように、放送受信装置１０は、チューナー部１０１、ＴＳデコーダ部１０２、ＡＶデコーダ部１０３、プレーン管理部１０４、ケーブルカードインタフェース（Ｉ／Ｆ）１０６、ＣＰＵ１０７、合成部１０８、操作検出部１１１、ハードディスクドライブ（ＨＤＤ）１１２、メモリ１１３、及びキャッシュメモリ１１４を備えている。
【００５０】
ケーブルカードインタフェース１０６は、ケーブルカード１０５と放送受信装置１０とがデータのやりとりを行うための部位である。つまり、放送受信装置１０には、ケーブル放送局から送出される映像/音声/番組に付随するデータを一つ以上持つトランスポートストリーム（以後、ＴＳ）を受信するためのケーブルカード１０５が挿入される。ここで、ケーブルカード１０５は、特定の放送局から放送コンテンツを受信できるようにするためのカードである。そして、放送受信装置１０は、ケーブルカードインタフェース１０６を介して、ケーブルカード１０５とデータのやりとりを行う。
【００５１】
操作検出部１１１は、リモコン１１０から信号を受信し、チャンネルの選局操作などの操作を検出する部位である。つまり、放送受信装置１０は、リモコン１１０を介して操作検出部１１１によりユーザー操作情報（以後、キーコード）を受信して、その操作に応じた処理を行う。
【００５２】
チューナー部１０１、ＴＳデコーダ部１０２及びＡＶデコーダ部１０３は、放送受信装置１０が受信したＴＳを再生するための部位である。チューナー部１０１は、放送局よりケーブル１００を介して配信されたデジタル信号を受信して復調する。ＴＳデコーダ部１０２は、映像/音声/番組に付随するデータを多重化したＴＳをフィルタリングする。ＡＶデコーダ部１０３は、放送局よりＭＰＥＧ形式等で配信された映像/音声データを復号する。図１において、チューナー部１０１、ＴＳデコーダ部１０２、ＡＶデコーダ部１０３及びプレーン管理部１０４を含めてデコーダという。
【００５３】
ＣＰＵ１０７は、放送受信装置１０の動作を制御するコントローラである。ＣＰＵ１０７は、データの記憶手段としてＨＤＤ１１２と、揮発性記憶手段であるメモリ１１３と、不揮発性記憶手段であるキャッシュメモリ１１４とが接続されている。
【００５４】
プレーン管理部１０４は、モニター１０９に表示させるプレーンを保持する。プレーンは、映像表示用のプレーン、放送受信装置１０のアプリケーション用のプレーン、及び外部入力用のプレーンを含む。
【００５５】
合成部１０８は、プレーン管理部１０４が保持するプレーンを合成する。合成されたプレーンは、モニター１０９に出力される。モニター１０９は、合成部１０８から出力される映像を処理して表示する。
【００５６】
次に、本発明に係る実施の形態におけるデジタル放送システムの構成を示す。
【００５７】
まず、放送局が送出するＭＰＥＧ２−ＴＳの一般的な構成について説明する。
【００５８】
図２は、本発明の実施の形態１における放送局によって送出されるＭＰＥＧ２−ＴＳの模式図である。本模式図は、ＤＶＢ（Digital Video Broadcasting）規格におけるＭＰＥＧ２−ＴＳの模式図と等しい。放送局は、映像/音声/番組に付随するデータを一つ以上持つＭＰＥＧ２−ＴＳを送出する。ＭＰＥＧ２-ＴＳには、図２に示す通りチャンネルの映像データ、音声データ及びＴＳの制御データであるＰＡＴ(Program Association Table)、ＰＭＴ(Program Map Table)、ＥＩＴ（Event Information Table）などが含まれている。
【００５９】
図３Ａは、ＭＰＥＧ２−ＴＳの一般的な構成を示す図である。ＰＡＴは、各ＰＭＴのサービスＩＤを含んでおり、ＴＳに含まれているチャンネル一覧を保持している。各チャンネルはこのＰＭＴのサービスＩＤにより識別することができる。ＰＭＴは、チャンネルを構成する情報が記載されており、一つのチャンネルに含まれる映像/音声などの各プログラムＩＤを含んでいる。ＴＳからこのプログラムＩＤを持つ映像/音声データを抽出することでチャンネルの映像/音声データを取得することができる。ＥＩＴは、ＰＭＴのサービスＩＤと同じサービスＩＤを持つことで、ＰＭＴが表すチャンネルの番組情報（以後、ＳＩ情報）として関連付けられる。
【００６０】
図４は、本発明の実施の形態１におけるＥＩＴのデータ構造を示す図である。同図に示す通りＥＩＴには、番組を識別するイベントＩＤと、番組の開始時間、継続時間など番組を特定する情報から構成されている。さらに、ディスクリプタには番組名、あらすじなどが含まれている。
【００６１】
なお、ＰＡＴ、ＰＭＴ、及びＥＩＴの構造や取得方法は、当業者には周知である。
【００６２】
次に、本実施の形態で使用するＭＰＥＧ２−ＴＳの構成を説明する。
【００６３】
図３Ｂは、本実施の形態で使用するＭＰＥＧ２−ＴＳの構成を示す図である。本実施の形態では、ＰＡＴ、ＰＭＴ、ＥＩＴ、映像/音声データを含むある一つのＴＳを使用する。
【００６４】
このＴＳには、ＰＭＴ−１〜ＰＭＴ−１２で識別されるサービスＩＤの異なるＰＭＴを１２個含んでおり、それぞれチャンネル番号１〜チャンネル番号１２と想定している。ＰＭＴ−１は、映像ＤａｔａＤｖ−１及び音声ＤａｔａＤａ−１のプログラムＩＤを指定しており、チャンネル番号１の構成要素として指定している。ＰＭＴ−２〜ＰＭＴ−１２の構成要素も同様である。ＰＭＴのサービスＩＤと同じサービスＩＤを持つことで関連付けられているＥＩＴも、ＥＩＴ−１〜ＥＩＴ−１２で識別され、それぞれチャンネル番号１のＳＩ情報〜チャンネル番号１２のＳＩ情報と想定している。
【００６５】
なお、本実施の形態では、一つのＴＳの中に全てのチャンネルを含んでいるが、複数のＴＳが放送されていることは当業者には周知のことであり、もちろん別のＴＳをまたがってチャンネルを選局してもよい。
【００６６】
また、チャンネルはＰＭＴのサービスＩＤにより識別しているが、チャンネルを識別することが可能であれば、ＤＶＢ規格におけるＮＩＴ（Network Information Table）などその他のテーブルであってもよい。同様にＳＩ情報もＥＩＴから取得していたが、番組名やあらすじなどそのチャンネルの番組内容を取得することが可能であれば、その他のテーブルであってもよい。
【００６７】
図５は、本発明の実施の形態１における放送受信装置１０の一例を示す機能ブロック図である。
【００６８】
同図に示すように、放送受信装置１０は、操作速度算出部２１１、表示件数決定部２１２、チャンネル決定部２１３、番組情報生成部２１４、表示位置決定部２１５、表示部２１６が所定のプログラムとして実行されることで実現される。また、放送受信装置１０は、データが記憶されている選局操作時刻記憶部２０９とチャンネル情報記憶部２０８とを備えている。なお、チューナー部１０１、ＴＳデコーダ部１０２、ＡＶデコーダ部１０３及び操作検出部１１１は、図１での説明と同様の機能を有するため、詳細な説明は省略する。
【００６９】
選局操作時刻記憶部２０９には、前回の選局操作が行われた時刻が記憶される。チャンネル情報記憶部２０８には、現在ユーザーが視聴しているチャンネル番号が記憶される。
【００７０】
操作速度算出部２１１は、操作検出部１１１が検出したチャンネルの選局操作から、チャンネルの選局操作速度を算出する。具体的には、操作速度算出部２１１は、選局操作が行われた現在の時刻と選局操作時刻記憶部２０９に記憶されている前回の操作時刻とを比較して選局操作速度を算出する。つまり、操作速度算出部２１１は、操作検出部１１１が検出した連続する２つのチャンネルの選局操作の間の時間が短いほど、選局操作速度が速くなるように、選局操作速度を算出する。そして、操作速度算出部２１１は、選局操作が行われた現在の時刻を選局操作時刻記憶部２０９に格納する。
【００７１】
表示件数決定部２１２は、操作速度算出部２１１が算出した選局操作速度に基づいて、番組情報を表示するチャンネル件数であるサムネイル表示件数を決定する。具体的には、表示件数決定部２１２は、操作速度算出部２１１が算出した選局操作速度が速いほど、サムネイル表示件数が多くなるように、サムネイル表示件数を決定する。
【００７２】
チャンネル決定部２１３は、表示件数決定部２１２が決定したサムネイル表示件数のチャンネルの番組情報を表示するように、表示対象のチャンネルを決定する。具体的には、表示件数決定部２１２が決定したサムネイル表示件数と、操作検出部１１１を介して入力されたキーコードと、チャンネル情報記憶部２０８に記憶されているチャンネル番号とから、サムネイル表示させるチャンネルを１つ以上決定する。
【００７３】
番組情報生成部２１４は、チャンネル決定部２１３が決定したチャンネルの番号から、表示対象のチャンネルの番組情報を構成する静止画２０４、番組データ２０５及びチャンネル番号２０６を生成する。静止画２０４は、チャンネル番号に対応したＰＭＴから映像データを取得してＡＶデコード中に任意の再生時刻で停止させることで生成される。番組データ２０５としては、前記のＰＭＴと同じサービスＩＤを持つＥＩＴの中から番組を特定できる番組情報（番組名、あらすじなど）が取得される。チャンネル番号２０６は、表示対象のチャンネルの番号そのままである。
【００７４】
表示位置決定部２１５は、チャンネル情報記憶部２０８に記憶されているチャンネル番号と表示件数決定部２１２が決定したサムネイル表示件数とから、表示対象のチャンネルの番組情報をモニター１０９上のどの位置に表示するかを決定する。表示位置決定部２１５が決定した表示位置は、表示対象のチャンネルの番組情報の一つとして表示位置２０７に保持される。
【００７５】
表示部２１６は、チャンネル決定部２１３が決定した表示対象のチャンネルの番組情報を出力する。具体的には、表示部２１６は、表示対象のチャンネルの番組情報をモニター１０９に出力してサムネイル表示を行う。
【００７６】
本発明の実施の形態１では、放送受信装置１０は、放送局から映像/音声/番組に付随するデータを含むある一つのＴＳを受信し、ザッピング時のユーザーの選局操作の操作速度に応じたサムネイル表示件数を算出して、モニター１０９にサムネイル表示を行う。そして、放送受信装置１０は、その後選局操作があった場合はサムネイル表示件数を変更せずに、サムネイル表示対象のチャンネルを変更して番組情報を生成し直し、サムネイル表示を更新する。このような本実施の形態１に係る放送受信装置１０について、以下に説明する。
【００７７】
まず、ユーザーの操作イメージの一例を図６Ａ及び図６Ｂで説明する。
【００７８】
図６Ａ及び図６Ｂは、本発明の実施の形態１における選局操作の操作速度差を基準としたユーザーの選局操作のタイミングとその時の画面イメージを表した図である。
【００７９】
具体的には、同図は、図３Ｂで示した通り、放送局から放送されているチャンネル数が全部で１２個（チャンネル番号１〜１２）の場合において、チャンネル２（チャンネル番号２の番組）を視聴している間に、ユーザーが選局操作にてCH-Upキーを連続して押下した時の選局操作のタイミングとその時の画面イメージを表した図である。
【００８０】
図６Ａは、選局操作速度が遅い場合の選局操作の押下タイミングとその時に表示される画面イメージを表している。
【００８１】
同図に示す通り、ユーザーはチャンネル２（画面３３０）を視聴している時に、現在他チャンネルではどのような番組が放送されているかを見るために、リモコン１１０のCH-Upキー３００を押下して、チャンネル３（画面３３１）を表示させる。
【００８２】
そして、ユーザーが、CH-Upキー３００を押下した後２秒以内に再度CH-Upキー３０１を押下した場合、放送受信装置１０は、ザッピングが開始されたと判断して、サムネイル表示に遷移する。
【００８３】
具体的には、まず操作検出部１１１が、チャンネルの選局操作であるCH-Upキー３００とCH-Upキー３０１の押下操作を検出する。そして、操作速度算出部２１１は、このCH-Upキー３００とCH-Upキー３０１の押下操作から、チャンネルの選局操作速度を算出する。ここで、CH-Upキー３０１は、CH-Upキー３００押下の１秒後に押下されたこととする。つまり、操作速度算出部２１１は、１秒／回という選局操作速度を算出する。
【００８４】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、選局操作速度が０．５秒／回以内であれば選局操作速度が速いと判断し、サムネイル表示件数を７件と決定する。また、表示件数決定部２１２は、選局操作速度が０．５秒／回より大きければ選局操作速度が遅いと判断し、サムネイル表示件数を２件と決定する。
【００８５】
したがって、この場合は、表示件数決定部２１２は、ザッピングの選局操作速度が遅いと判断して、サムネイル表示件数を２件と決定する。
【００８６】
次に、チャンネル決定部２１３は、表示件数決定部２１２が決定したサムネイル表示件数のチャンネルの番組情報を表示するように、表示対象のチャンネルを決定する。ここでは、チャンネル決定部２１３は、現在視聴しているチャンネル番号の次のチャンネル２件分を表示対象のチャンネルと決定する。
【００８７】
そして、番組情報生成部２１４は、チャンネル決定部２１３が決定したチャンネル２件分の番組情報を生成し、表示位置決定部２１５は、当該番組情報のモニター１０９上の表示位置を決定する。そして、表示部２１６は、チャンネル決定部２１３が決定したチャンネル２件分の番組情報を出力し、モニター１０９に表示させる（画面３３２）。
【００８８】
また、モニター１０９にサムネイルが表示されている間に、CH-Upキー３０２が押下された場合は、表示件数決定部２１２によるサムネイル表示件数の変更は行われずに、チャンネル決定部２１３は、サムネイル表示対象のチャンネル番号を変更する。そして、番組情報生成部２１４が表示対称の番組情報を生成し直して、表示部２１６がサムネイル表示を更新するように番組情報を出力し、モニター１０９に表示させる（画面３３３）。
【００８９】
そして、モニター１０９にサムネイルが表示されているが、ユーザーの最後の選局操作から５秒経過しても選局操作が行われない場合は、放送受信装置１０は、現在カーソルで選択されているチャンネルを選局して、全画面表示に切り替える（画面３３４）。
【００９０】
全画面表示（画面３３４）になった後にCH-Upキー３０３が押下された場合は、CH-Upキー３００が押下されたのと同様の処理により、次のチャンネル６（画面３３５）が表示される。
【００９１】
図６Ｂは、選局操作速度が速い場合の選局操作の押下タイミングとその時に表示される画面イメージを表している。
【００９２】
同図に示す通り、ユーザーは、チャンネル２（画面３３６）を視聴している時に、リモコン１１０のCH-Upキー３０４を押下することにより、チャンネル３（画面３３７）がモニター１０９に表示される。
【００９３】
そして、操作検出部１１１が、CH-Upキー３０４が押下された０．５秒後にCH-Upキー３０５の押下を検出した場合は、操作速度算出部２１１は、０．５秒／回という選局操作速度を算出する。
【００９４】
そして、表示件数決定部２１２は、ザッピングの選局操作速度が速いと判断して、サムネイル表示件数を７件と決定する。そして、チャンネル決定部２１３は、現在視聴しているチャンネル番号の次のチャンネル７件分を表示対象のチャンネルと決定する。そして、番組情報生成部２１４は、チャンネル７件分の番組情報を生成し、表示位置決定部２１５は、当該番組情報のモニター１０９上の表示位置を決定する。
【００９５】
そして、表示部２１６は、チャンネル７件分の番組情報を出力し、モニター１０９に表示させる（画面３３８）。その後のリモコン操作によるモニター１０９上の画面表示の遷移は、図６Ａで説明したザッピングの選局操作速度が遅いと判断した場合と同様である（画面３３９〜３４１）。
【００９６】
なお、今回はCH-Upキーによりチャンネルを２→３→４と昇順に切り替えた場合について説明したが、CH-Downキーによりチャンネルを降順に切り替えてもよい。つまり、CH-Up/Downキーによるチャンネル切り替えは、昇順でも降順でもどちらでもよい。
【００９７】
図７〜図１０は、上記ザッピングの選局操作を行った場合における、サムネイル表示時の画面イメージを表している。
【００９８】
図７は、本発明の実施の形態１における選局操作速度が遅いと判断した場合のサムネイル表示時の画面イメージを示す図である。つまり、同図は、図６Ａに示された画面イメージを詳細に示す図である。
【００９９】
同図の（ａ）〜（ｃ）に示す画面１〜３のそれぞれは、図６Ａに示された画面３３０〜３３２であり、同図の（ｄ）に示す画面４は、図６Ａに示された画面３３４である。つまり、画面３は、選局操作速度が遅いと判断された場合の画面イメージである。このようにサムネイル表示時には、現在視聴中のチャンネル番号の次のチャンネル２件分（チャンネル番号４，５）の番組の静止画と番組名、あらすじが表示される。
【０１００】
図８は、本発明の実施の形態１における選局操作速度が速いと判断した場合のサムネイル表示時の画面イメージを示す図である。
【０１０１】
同図の（ａ）〜（ｃ）に示す画面１〜３のそれぞれは、図６Ｂに示された画面３３６〜３３８であり、同図の（ｄ）に示す画面４は、図６Ｂに示された画面３４０である。つまり、画面３は、操作速度が速いと判定された場合の画面イメージである。このように、画面３には、現在視聴中のチャンネル番号３と次のチャンネル番号４，５，６，７と、チャンネル番号３の前のチャンネル番号２，１の合計７件分の番組内容が表示される。
【０１０２】
図９は、本発明の実施の形態１におけるサムネイル表示時のサムネイル表示サイズを全て同じにした場合の画面イメージを示す図である。具体的には、同図は、図８の（ｃ）に示された画面３のサムネイル表示サイズを全て同じにした場合の画面イメージを示す図である。
【０１０３】
つまり、サムネイルの表示サイズは図８の（ｃ）の画面３のように視聴していたチャンネルに最も近いチャンネル（チャンネル番号４）を１番大きく、視聴していたチャンネルから遠ざかるにつれて小さくするだけではなくて、各チャンネルの番組情報をユーザーに確認させることができるのであれば図９の（ｃ）の画面３のように、サムネイルの表示サイズは全て同じでもよい。
【０１０４】
なお、サムネイル表示に使用される番組情報は、上記のように、静止画と番組名、あらすじだけとは限らず、静止画の代わりに動画を表示してもよく、番組を特定できるのであれば他の情報でもよい。
【０１０５】
図１０は、本発明の実施の形態１におけるサムネイル表示時の表示対象のチャンネルの静止画が生成されるまでの画面イメージを示す図である。具体的には、同図は、図７の（ｃ）に示された画面３の表示対象のチャンネルの静止画が生成されるまでの画面イメージを示す図である。
【０１０６】
つまり、静止画の生成に時間がかかる場合は、図１０の（ｃ）の画面３のように、サムネイル表示対象のチャンネルの静止画が生成されるまでは黒画にその旨を表す「選局中」や「視聴制限確認中」など放送受信装置１０の処理の状況を表す文字情報と、番組内容を表示してもよい。静止画が生成できた段階で、サムネイル表示を更新して、通常の図７の（ｃ）の画面３のように静止画を表示させればよい。
【０１０７】
また、視聴制限により静止画を表示できない場合は、「視聴制限中」などの文字情報を表示してもよい。
【０１０８】
これにより、ユーザーは、機器がどのような状況にあるのかを確認することができ、また表示されている番組内容を読むことにより次のザッピングを行うことができて、速やかでスムースな操作を行うことができるようになる。
【０１０９】
次に、本発明の実施の形態１に関わる放送受信装置１０の動作の一例を、図１１のフローチャートに基づいて説明する。
【０１１０】
図１１は、本発明の実施の形態１における選局操作の操作速度を基準としたサムネイル表示を行う方法を示したフローチャートである。つまり、同図は、本発明の実施の形態１における、CH-Up/Downキーで選局操作が行われた場合の選局操作速度により、サムネイル表示件数を決定して現在放送している各チャンネルの番組情報をサムネイル表示するフローチャートである。
【０１１１】
前提としては、放送受信装置１０は、図３Ｂに示されたＭＰＥＧ２−ＴＳの構成を持つＴＳを受信する。また、図１１は、図６Ａ及び図６Ｂでのユーザー操作イメージにおいてのザッピング開始である２回目のCH-Upキー押下後からのフローチャートを示している。つまり、放送局から放送されているチャンネル数が全部で１２個（チャンネル番号１〜１２）の場合において、ユーザーが、チャンネル２を視聴している間に１回CH-Upキーを押下することで、チャンネル３を視聴しており、前回選局操作が行われた時刻が選局操作時刻記憶部２０９に記憶されているものとする。
【０１１２】
まず、操作検出部１１１を介してユーザーからのキーコードが操作速度算出部２１１に入力される。操作速度算出部２１１は、入力されたキーコードがCH-Up/Downキーであるか否かを判断する（ＳＴ４００１）。
【０１１３】
そして、操作速度算出部２１１は、入力されたキーコードがCH-Up/Downキーであると判断すれば（ＳＴ４００１でＹ）、選局操作が行われた現在の時刻を選局操作時刻記憶部２０９に記憶させる（ＳＴ４００２）。
【０１１４】
そして、操作速度算出部２１１は、選局が行なわれた現在の時刻と、選局操作時刻記憶部２０９に記憶されている前回の選局操作が行われた時刻とを比較して、２つの選局操作の操作時間差を選局操作速度として算出する（ＳＴ４００３）。
【０１１５】
次に、表示件数決定部２１２は、操作時間差が２秒以内であるか否かを判断する（ＳＴ４００４）。そして、表示件数決定部２１２は、操作時間差が２秒以内であると判断した場合（ＳＴ４００４でＹ）、操作時間差が０．５秒以内であるか否かを判断する（ＳＴ４００５）。
【０１１６】
そして、表示件数決定部２１２は、操作時間差が０．５秒以内であると判断した場合（ＳＴ４００５でＹ）、操作速度が速いと判断してサムネイル表示件数を７件に決定する（ＳＴ４００６）。
【０１１７】
また、表示件数決定部２１２は、操作時間差が０．５秒よりも大きいと判断した場合（ＳＴ４００５でＮ）、操作速度が遅いと判断してサムネイル表示件数を２件に決定する（ＳＴ４００７）。
【０１１８】
次に、チャンネル決定部２１３は、CH-Up/Downキーの操作方向に応じて現在視聴しているチャンネル番号の次のチャンネル、もしくは前後のチャンネルからサムネイル表示件数分の表示対象のチャンネルを決定する（ＳＴ４００８）。
【０１１９】
番組情報生成部２１４は、サムネイル表示対象として決定したチャンネルの番組情報を生成してサムネイル表示を更新するために、チャンネル番号に対応されたＰＭＴから映像データを取得して、ＡＶデコード中に任意の再生時刻で停止させて静止画を生成する。また、番組情報生成部２１４は、前記のＰＭＴと同じサービスＩＤを持つＥＩＴの中から番組名、あらすじなどを取得して番組データを生成する。ここで、チャンネル番号は、対象チャンネルの番号そのままである。そして、表示位置決定部２１５は、チャンネル情報記憶部２０８に記憶されているチャンネル番号と決定されたサムネイル表示件数とから、表示対象のチャンネルの番組情報を画面上のどの位置に表示するかを決定する。そして、表示部２１６は、生成された表示対象チャンネルの番組情報をモニター１０９に出力してサムネイル表示を行う（ＳＴ４００９）。
【０１２０】
また、表示件数決定部２１２が、操作時間差が２秒よりも大きいと判断した場合（ＳＴ４００４でＮ）、チャンネル決定部２１３は、モニター１０９にサムネイルが表示されているか否かを判断する（ＳＴ４０１０）。チャンネル決定部２１３は、モニター１０９にサムネイルが表示されていると判断した場合（ＳＴ４０１０でＹ）、表示対象のチャンネルを変更する（ＳＴ４０１１）。そして、表示部２１６は、変更後のチャンネルの番組情報を出力し、モニター１０９のサムネイル表示を更新する（ＳＴ４００９）。
【０１２１】
また、チャンネル決定部２１３は、モニター１０９にサムネイルが表示されていないと判断した場合（ＳＴ４０１０でＮ）、次のチャンネルを選局する（ＳＴ４０１２）。
【０１２２】
なお、本実施の形態１ではサムネイル表示件数を２件又は７件と固定して説明したが、選局操作が速いと判断した場合の方が遅い場合よりもサムネイル表示件数が多くなるのであればどのような件数であってもよい。また、サムネイル表示件数を決定する時の操作時間差の基準も、上記の数値に限定するものではなく任意の数値でよい。
【０１２３】
以上のようにして、本発明の実施の形態１では、従来例のようにザッピングの開始を自動的に検出して、現在放送中の全てのチャンネルの番組情報を一覧表示するのとは異なり、ユーザーの選局操作の操作速度に応じてサムネイル表示するチャンネル数を変更することができる。
【０１２４】
その結果、特定のキーを押すこともなくユーザーの選局操作によるザッピング開始と共に現在放送されているチャンネルのサムネイル表示に切り替え、その選局操作の操作速度に応じてサムネイル表示件数を変更することができる。このため、チャンネル数が多い場合においても、ユーザーは自分にとって番組内容を確認しやすいチャンネル表示件数の中から所望の番組を速やかに選択することができる。
【０１２５】
（実施の形態２）
実施の形態１では、操作速度算出部２１１は、ザッピングの選局操作の操作速度を選局操作時間差から算出したが、本実施の形態２では、操作速度算出部２１１は、一定時間内の操作回数から選局操作の操作速度を算出する。
【０１２６】
この場合の動作を、図１２Ａ及び図１２Ｂのユーザー操作イメージと図１３のフローチャートに基づいて説明する。なお、同図に示す以外の放送受信装置１０の構成等は、図１〜図５で説明した実施の形態１での構成等と同様であるため、説明を省略する。
【０１２７】
まず、図１２Ａ及び図１２Ｂのユーザー操作イメージを説明する。
【０１２８】
図１２Ａ及び図１２Ｂは、本発明の実施の形態２における一定時間内の操作回数を基準としたユーザーの選局操作のタイミングとその時の画面イメージを表した図である。
【０１２９】
そして、図１２Ａは、選局操作速度が遅い場合の選局操作の押下タイミングとその時に表示される画面イメージを表している。
【０１３０】
同図に示すように、ユーザーがチャンネル２（画面３３０）を視聴している時に、CH-Upキー３１０を押下して、チャンネル３（画面３３１）に遷移するところは図６Ａと同様であるが、CH-Upキー３１０が押下された時に２秒を計測するタイマーが起動する。
【０１３１】
そして、ユーザーがCH-Upキー３１０を押下した１．５秒後に再度CH-Upキー３１１を押下した場合、放送受信装置１０は、２秒を計測するタイマーが起動中なのでザッピングが開始されたと判断して、サムネイル表示に遷移する。
【０１３２】
具体的には、まず操作検出部１１１が、当該タイマー起動中のチャンネルの選局操作であるCH-Upキー３１０とCH-Upキー３１１の押下操作を検出する。そして、操作速度算出部２１１は、このCH-Upキー３１０とCH-Upキー３１１の押下操作から、チャンネルの選局操作速度を算出する。ここで、CH-Upキー３１１は、CH-Upキー３１０押下の１．５秒後に押下されているので、操作速度算出部２１１は、１．５秒／回という選局操作速度を算出する。
【０１３３】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、２秒のうちで選局操作回数が４回以上（選局操作速度が０．５秒／回以内）であれば選局操作速度が速いと判断し、サムネイル表示件数を７件と決定する。また、表示件数決定部２１２は、２秒のうちで選局操作回数が３回以下（選局操作速度が０．５秒／回より大きい）であれば選局操作速度が遅いと判断し、サムネイル表示件数を２件と決定する。
【０１３４】
したがって、この場合は、表示件数決定部２１２は、タイマー動作中の選局操作回数が２回と少ないので、ザッピングの選局操作速度が遅いと判断して、サムネイル表示件数を２件と決定する。
【０１３５】
そして、チャンネル決定部２１３は、現在視聴しているチャンネル番号の次のチャンネル２件分を表示対象のチャンネルと決定し、表示部２１６は、チャンネル決定部２１３が決定したチャンネル２件分の番組情報を出力し、モニター１０９に表示させる（画面３３２）。なお、ユーザーがその後のCH-Upキー３１２、３１３を押下した時の画面イメージ（画面３３３〜３３５）は、図６Ａに示されたCH-Upキー３０２、３０３を押下した時の画面イメージと同様であるため、説明を省略する。
【０１３６】
図１２Ｂは、選局操作速度が速い場合の選局操作の押下タイミングとその時に表示される画面イメージを表している。
【０１３７】
同図に示す通り、CH-Upキー３１４の押下によりチャンネル３（画面３３７）に遷移した後で、２秒を計測するタイマー動作中にCH-Upキー３１５、３１６、３１７が押下される。この場合、表示件数決定部２１２は、タイマー動作中の選局操作回数が４回と多いので、ザッピングの選局操作速度が速いと判断して、サムネイル表示件数を７件と決定する。そして、表示部２１６は、７件分の番組情報をモニター１０９に表示させる（画面３３８）。なお、ユーザーがその後のCH-Upキー３１８、３１９を押下した時の画面イメージ（画面３３９〜３４１）は、図６Ｂに示されたCH-Upキー３０６、３０７を押下した時の画面イメージと同様であるため、説明を省略する。
【０１３８】
このように、操作速度算出部２１１は、所定の時間内に操作検出部１１１がチャンネルの選局操作を検出した回数が多いほど、選局操作速度が速くなるように、選局操作速度を算出する。
【０１３９】
次に、図１３のフローチャートを説明する。
【０１４０】
図１３は、本発明の実施の形態２における一定時間内の操作回数を基準としたサムネイル表示を行う方法を示したフローチャートである。
【０１４１】
前提としては、図１１のフローチャートで説明した内容に加えて、１回目のCH-Upキー押下時に２秒を計測するタイマーが起動している。
【０１４２】
まず、操作検出部１１１を介してユーザーから選局操作のキーコードが操作速度算出部２１１に入力される。操作速度算出部２１１は、入力されたキーコードがCH-Up/Downキーであるか否かを判断して（ＳＴ４１０１）、CH-Up/Downキーであれば（ＳＴ４１０１でＹ）、選局操作が行われた現在の時刻を選局操作時刻記憶部２０９に記憶させる（ＳＴ４１０２）。
【０１４３】
そして、操作速度算出部２１１は、現在モニター１０９にサムネイルが表示されているか否かを判断する（ＳＴ４１０３）。操作速度算出部２１１は、サムネイルが表示されていないと判断した場合（ＳＴ４１０３でＮ）、２秒を計測するタイマーが起動しているか否かを判断する（ＳＴ４１０４）。そして、操作速度算出部２１１は、当該タイマーが起動していると判断した場合（ＳＴ４１０４でＹ）、選局操作回数をカウントアップする（ＳＴ４１０５）。
【０１４４】
また、操作速度算出部２１１は、当該タイマーが起動していないと判断した場合（ＳＴ４１０４でＮ）、当該タイマーを起動させる（ＳＴ４１１１）。そして、操作速度算出部２１１には、操作検出部１１１を介してユーザーから選局操作のキーコードが入力される（ＳＴ４１１２）。そして、操作速度算出部２１１は、選局操作回数をカウントアップする（ＳＴ４１１３）。
【０１４５】
次に、表示件数決定部２１２は、カウントアップされた選局操作回数が４回以上か否かを判断する（ＳＴ４１０６）。表示件数決定部２１２は、選局操作回数が３回以下ならサムネイル表示件数を２件に決定し（ＳＴ４１０８）、選局操作回数が４回以上ならタイマーが動作中であってもこの時点で選局操作速度が速いと判断してサムネイル表示件数を７件に決定する（ＳＴ４１０７）。そして、図１１のＳＴ４００８〜ＳＴ４００９での処理と同様に、表示対象のチャンネルを決定し（ＳＴ４１０９）、サムネイル表示更新を行う（ＳＴ４１１０）。
【０１４６】
また、操作速度算出部２１１は、現在モニター１０９にサムネイルが表示されていると判断した場合（ＳＴ４１０３でＹ）、チャンネル決定部２１３が表示対象のチャンネルを変更し（ＳＴ４１１４）、表示部２１６がサムネイル表示を更新する（ＳＴ４１１０）。
【０１４７】
また、操作速度算出部２１１は、入力されたキーコードがCH-Up/Downキーでなければ（ＳＴ４１０１でＮ）、タイマーが２秒以上経過して動作中であったタイマーが停止したか否かを判断する（ＳＴ４１１５）。操作速度算出部２１１が、タイマーが２秒以上経過したと判断した場合（ＳＴ４１１５でＹ）、表示件数決定部２１２は、選局操作回数が４回以上か否かを判断する（ＳＴ４１１６）。
【０１４８】
表示件数決定部２１２は、選局操作回数が３回以内と判断した場合（ＳＴ４１１６でＮ）は、サムネイル表示件数を２件に決定し（ＳＴ４１１８）、選局操作回数が４回以上と判断した場合（ＳＴ４１１６でＹ）は、サムネイル表示件数を７件に決定する（ＳＴ４１１７）。そして、図１１のＳＴ４００８〜ＳＴ４００９での処理と同様に、表示対象のチャンネルを決定し（ＳＴ４１０９）、サムネイル表示更新を行う（ＳＴ４１１０）。
【０１４９】
（実施の形態３）
実施の形態１及び実施の形態２では、操作速度算出部２１１は、ザッピングの選局操作の操作速度を選局操作時間差又は一定時間内の操作回数から算出したが、本実施の形態３では、操作速度算出部２１１は、同じキーを一定時間長押しすることにより、選局操作の操作速度を算出する。
【０１５０】
この場合の動作を、図１４Ａ及び図１４Ｂのユーザー操作イメージと図１５のフローチャートに基づいて説明する。なお、同図に示す以外の放送受信装置１０の構成等は、図１〜図５で説明した実施の形態１での構成等と同様であるため、説明を省略する。
【０１５１】
まず、図１４Ａ及び図１４Ｂのユーザー操作イメージを説明する。
【０１５２】
図１４Ａ及び図１４Ｂは、本発明の実施の形態３における一定時間長押ししたことを基準としたユーザーの選局操作のタイミングとその時の画面イメージを表した図である。
【０１５３】
そして、図１４Ａは、選局操作速度が遅い場合の選局操作の押下タイミングとその時に表示される画面イメージを表している。
【０１５４】
同図に示すように、ユーザーがチャンネル２（画面３３０）を視聴している時に、CH-Upキー３２０を押下して、チャンネル３（画面３３１）に遷移するところは図６Ａと同様である。
【０１５５】
そして、CH-Upキー３２０が０．５秒間以上押されたままの場合、放送受信装置１０は、ザッピングが開始されたと判断して、サムネイル表示に遷移する。
【０１５６】
具体的には、まず操作検出部１１１は、チャンネルの選局操作であるCH-Upキー３２０の押下操作を検出することで、１つのチャンネルが選局操作されている時間を検出する。ここでは、CH-Upキー３２０が１秒間押されたこととする。そして、操作速度算出部２１１は、このCH-Upキー３２０が押下された時間から、チャンネルの選局操作速度を算出する。つまり、操作速度算出部２１１は、検出された時間が長いほど、選局操作速度が速くなるように、選局操作速度を算出する。
【０１５７】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、操作検出部１１１が検出した時間が２秒以上であれば選局操作速度が速いと判断し、サムネイル表示件数を７件と決定する。また、表示件数決定部２１２は、操作検出部１１１が検出した時間が２秒未満であれば選局操作速度が遅いと判断し、サムネイル表示件数を２件と決定する。
【０１５８】
したがって、この場合は、表示件数決定部２１２は、選局操作の押下時間が短いので、ザッピングの選局操作速度が遅いと判断して、サムネイル表示件数を２件と決定する。
【０１５９】
そして、チャンネル決定部２１３は、現在視聴しているチャンネル番号の次のチャンネル２件分を表示対象のチャンネルと決定し、表示部２１６は、チャンネル決定部２１３が決定したチャンネル２件分の番組情報を出力し、モニター１０９に表示させる（画面３３２）。なお、ユーザーがその後のCH-Upキー３２１、３２２を押下した時の画面イメージ（画面３３３〜３３５）は、図６Ａに示されたCH-Upキー３０２、３０３を押下した時の画面イメージと同様であるため、説明を省略する。
【０１６０】
図１４Ｂは、選局操作速度が速い場合の選局操作の押下タイミングとその時に表示される画面イメージを表している。
【０１６１】
同図に示す通り、CH-Upキー３２３の押下によりチャンネル３（画面３３７）に遷移した後で、CH-Upキー３２３が２．５秒間押下される。この場合、表示件数決定部２１２は選局操作の押下時間が長いので、ザッピングの選局操作速度が速いと判断して、サムネイル表示件数を７件と決定する。そして、表示部２１６は、７件分の番組情報をモニター１０９に表示させる（画面３３８）。なお、ユーザーがその後のCH-Upキー３２４、３２５を押下した時の画面イメージ（画面３３９〜３４１）は、図６Ｂに示されたCH-Upキー３０６、３０７を押下した時の画面イメージと同様であるため、説明を省略する。
【０１６２】
次に、図１５のフローチャートを説明する。
【０１６３】
図１５は、本発明の実施の形態３における一定時間長押ししたことを基準としたサムネイル表示を行う方法を示したフローチャートである。
【０１６４】
前提としては、図１１のフローチャートで説明した内容と同様である。
【０１６５】
まず、操作検出部１１１を介してユーザーから選局操作のキーコードが操作速度算出部２１１に入力される。操作速度算出部２１１は、入力されたキーコードがCH-Up/Downキーであるか否かを判断して（ＳＴ４２０１）、CH-Up/Downキーであれば（ＳＴ４２０１でＹ）、キーの押下時間を計測する（ＳＴ４２０２）。
【０１６６】
そして、操作速度算出部２１１は、現在モニター１０９にサムネイルが表示されているか否かを判断する（ＳＴ４２０３）。操作速度算出部２１１は、サムネイルが表示されていないと判断した場合（ＳＴ４２０３でＮ）、押下時間が０．５秒以上か否かを判断する（ＳＴ４２０４）。
【０１６７】
そして、操作速度算出部２１１が、押下時間が０．５秒以上であると判断した場合（ＳＴ４２０４でＹ）、表示件数決定部２１２は、押下時間が２秒以上か否かを判断する（ＳＴ４２０５）。表示件数決定部２１２は、押下時間が２秒未満であると判断した場合（ＳＴ４２０５でＮ）、サムネイル表示件数を２件に決定し（ＳＴ４２０７）、押下時間が２秒以上であると判断した場合（ＳＴ４２０５でＹ）、サムネイル表示件数を７件に決定する（ＳＴ４２０６）。そして、図１１のＳＴ４００８〜ＳＴ４００９での処理と同様に、表示対象のチャンネルを決定し（ＳＴ４２０８）、サムネイル表示更新を行う（ＳＴ４２０９）。
【０１６８】
また、操作速度算出部２１１は、現在モニター１０９にサムネイルが表示されていると判断した場合（ＳＴ４２０３でＹ）、チャンネル決定部２１３が表示対象のチャンネルを変更し（ＳＴ４２１１）、表示部２１６がサムネイル表示を更新する（ＳＴ４２０９）。
【０１６９】
また、操作速度算出部２１１が、押下時間が０．５秒未満であると判断した場合（ＳＴ４２０４でＮ）、放送受信装置１０は、ザッピングが開始されたと判断しないため、次のサービスのための選局が行われる（ＳＴ４２１０）。
【０１７０】
なお、本実施の形態１〜３では、サムネイル表示からチャンネルを選局して全画面に戻る方法としては、一定時間が経過した場合でもよく、またユーザーが決定キーを押下することにより全画面表示に戻ってもよい。
【０１７１】
なお、本実施の形態１〜３では、サムネイル表示に使用する静止画は、上記のようにザッピングが開始されたと判断された時に、番組情報生成部２１４が、各チャンネルに選局をしてデコードを行い生成している。しかし、サムネイル表示に使用する静止画を取得できるのであれば、第２のデコードを搭載してユーザーがチャンネルを視聴している時に、番組情報生成部２１４が各チャンネルの番組をデコードして静止画を生成しておいてもよい。また、放送局がＴＳとは別経路で送ることができるＤＳＭＣＣなどのデータ送出中に静止画を含んでおき、番組情報生成部２１４が当該静止画を取得することにしてもよい。
【０１７２】
（実施の形態４）
本発明の実施の形態４では、放送局から映像/音声/番組に付随するデータを含むある一つのＴＳを受信する上記構成からなる放送受信装置１０において、ザッピング時のユーザーの選局操作速度の変化に応じてサムネイル表示件数を変更する。つまり、本発明の実施の形態４における放送受信装置１０は、ザッピング時のユーザーの選局操作の操作速度に応じたサムネイル表示件数を算出してサムネイル表示を行い、さらにザッピング操作が行われその操作速度が変化した場合、その選局操作速度の変化に応じてサムネイル表示件数を変更する。
【０１７３】
まず、ユーザーの操作イメージの一例を図１６Ａ及び図１６Ｂで説明する。なお、同図に示す以外の放送受信装置１０の構成等は、図１〜図５で説明した実施の形態１での構成等と同様であるため、説明を省略する。
【０１７４】
図１６Ａ及び図１６Ｂは、本発明の実施の形態４における選局操作の操作速度差を基準としたユーザーの選局操作のタイミングとその時の画面イメージを表した図である。
【０１７５】
具体的には、同図は、図３Ｂで示した通り、放送局から放送されているチャンネル数が全部で１２個（チャンネル番号１〜１２）の場合において、チャンネル２を視聴している間に、ユーザーが選局操作にてCH-Upキーを連続して押下した時の選局操作のタイミングとその時の画面イメージを表したイメージ図である。
【０１７６】
図１６Ａは、選局操作速度が速くなった場合の選局操作の押下タイミングとその時に表示される画面イメージを表している。
【０１７７】
図１６Ａに示す通り、ユーザーはチャンネル２（画面５３０）を視聴している時に、現在他チャンネルではどのような番組が放送されているかを見るために、リモコン１１０のCH-Upキー５００を押下して、チャンネル３（画面５３１）を表示させる。
【０１７８】
そして、ユーザーが、CH-Upキー５００を押下した後２秒以内に再度CH-Upキー５０１を押下した場合、放送受信装置１０は、ザッピングが開始されたと判断して、サムネイル表示に遷移する。
【０１７９】
具体的には、まず操作検出部１１１が、チャンネルの選局操作であるCH-Upキー５００とCH-Upキー５０１の押下操作を検出する。そして、操作速度算出部２１１は、このCH-Upキー５００とCH-Upキー５０１の押下操作から、チャンネルの選局操作速度を算出する。ここで、CH-Upキー５０１は、CH-Upキー５００押下の１秒後に押下されたこととする。つまり、操作速度算出部２１１は、１秒／回という選局操作速度を算出する。
【０１８０】
そして、表示件数決定部２１２は、操作速度算出部２１１が算出した選局操作速度が速いほど、サムネイル表示件数が多くなるように、サムネイル表示件数を決定する。具体的には、表示件数決定部２１２は、選局操作速度が０．５秒／回以内であれば選局操作速度が速いと判断し、サムネイル表示件数を７件と決定する。また、表示件数決定部２１２は、選局操作速度が０．５秒／回より大きければ選局操作速度が遅いと判断し、サムネイル表示件数を２件と決定する。
【０１８１】
したがって、この場合は、表示件数決定部２１２は、ザッピングの選局操作速度が遅いと判断して、サムネイル表示件数を２件と決定する。
【０１８２】
次に、チャンネル決定部２１３は、表示件数決定部２１２が決定したサムネイル表示件数のチャンネルの番組情報を表示するように、表示対象のチャンネルを決定する。ここでは、チャンネル決定部２１３は、現在視聴しているチャンネル番号の次のチャンネル２件分を表示対象のチャンネルと決定する。
【０１８３】
そして、番組情報生成部２１４は、チャンネル決定部２１３が決定したチャンネル２件分の番組情報を生成し、表示位置決定部２１５は、当該番組情報のモニター１０９上の表示位置を決定する。そして、表示部２１６は、チャンネル決定部２１３が決定したチャンネル２件分の番組内容を出力し、モニター１０９に表示させる（画面５３２）。
【０１８４】
その後、サムネイル表示をしている間に、ユーザーが、CH-Upキー５００を押下した０．５秒後にCH-Upキー５０２を押下した場合は、操作速度算出部２１１は、０．５秒／回という選局操作速度を算出する。つまり、選局操作時間差が、前回の選局操作時間差の１／２倍になり、選局操作速度は２倍になったので、表示件数決定部２１２は、選局操作速度が速くなったと判断して、サムネイル表示件数を７件に変更する。
【０１８５】
そして、チャンネル決定部２１３が表示対象のチャンネルを決定し、番組情報生成部２１４が表示対象チャンネルの番組情報を生成し直して、表示部２１６がサムネイル表示を更新する（画面５３３）。
【０１８６】
そして、モニター１０９にサムネイルが表示されており、なおかつ最後の選局操作から５秒経過した場合は、放送受信装置１０は、現在カーソルで選択しているチャンネルを選局して全画面表示に切り替える（画面５３４）。全画面表示（画面５３４）になった後にCH-Upキー５０３が押下された場合は、CH-Upキー５００が押下されたのと同様の処理により、次のチャンネル６（画面５３５）が表示される。
【０１８７】
図１６Ｂは、選局操作速度が遅くなった場合の選局操作の押下タイミングとその時に表示される画面イメージを表している。
【０１８８】
同図に示す通り、ユーザーは、チャンネル２（画面５３６）を視聴している時に、リモコン１１０のCH-Upキー５０４を押下することにより、チャンネル３（画面５３７）がモニター１０９に表示される。
【０１８９】
そして、操作検出部１１１が、CH-Upキー５０４が押下された０．５秒後にCH-Upキー５０５の押下を検出した場合は、操作速度算出部２１１は、０．５秒／回という選局操作速度を算出する。
【０１９０】
そして、表示件数決定部２１２は、ザッピングの選局操作速度が速いと判断して、サムネイル表示件数を７件と決定する。そして、チャンネル決定部２１３は、現在視聴しているチャンネル番号の次のチャンネル７件分を表示対象のチャンネルと決定する。そして、番組情報生成部２１４は、チャンネル７件分の番組情報を生成し、表示位置決定部２１５は、当該番組情報のモニター１０９上の表示位置を決定する。
【０１９１】
そして、表示部２１６は、チャンネル７件分の番組内容を出力し、モニター１０９に表示させる（画面５３８）。
【０１９２】
その後、サムネイル表示をしている間に、ユーザーが、CH-Upキー５０５を押下した１秒後にCH-Upキー５０６を押下した場合は、操作速度算出部２１１は、１秒／回という選局操作速度を算出する。つまり、選局操作時間差が、前回の選局操作時間差の２倍になり、選局操作速度は１／２倍になったので、表示件数決定部２１２は、選局操作速度が遅くなったと判断して、サムネイル表示件数を２件に変更する。
【０１９３】
そして、チャンネル決定部２１３が表示対象のチャンネルを決定し、番組情報生成部２１４が表示対象チャンネルの番組情報を生成し直して、表示部２１６がサムネイル表示を更新する（画面５３９）。なお、全画面表示に切り替えなどのリモコン操作による画面（画面５４０、５４１）への遷移は、上記で説明したザッピングの選局操作速度が速くなったと判断された場合と同様である。
【０１９４】
図１７は、本発明の実施の形態４における、選局操作速度が速くなったと判断した場合のサムネイル表示時の画面イメージを示す図である。
【０１９５】
同図の（ａ）〜（ｄ）に示す画面１〜３のそれぞれは、図１６Ａに示された画面５３１〜５３４である。つまり、図１７の（ｂ）は、ザッピングが開始されたと判断されて選局操作速度が遅い場合のサムネイル表示画面であり、現在視聴中のチャンネル番号の次のチャンネル２件分（チャンネル番号４，５）の番組の静止画と番組名、あらすじが表示される。
【０１９６】
また、図１７の（ｃ）は、サムネイル表示をしている間に、さらに選局操作が行われて、選局操作時間差が前回の１／２倍になったので選局操作速度が速くなったと判断した場合であり、サムネイル表示件数が７件に変更される。そして、現在カーソルが選択しているチャンネル番号４と次のチャンネル番号５，６，７と、チャンネル番号４の前のチャンネル番号３，２，１の合計７件分の番組内容が表示される。
【０１９７】
図１８は、本発明の実施の形態４における選局操作の操作速度を基準としたサムネイル表示を行う方法を示したフローチャートである。
【０１９８】
前提としては、放送受信装置１０は、図３Ｂに示されたＭＰＥＧ２−ＴＳの構成を持つＴＳを受信する。また、図１８は、図１６Ａ及び図１６Ｂでのユーザー操作イメージにおいての２回目のCH-Upキー押下によりサムネイル表示がされている間に再度Ch-Upキーが押下された後からのフローチャートを示している。つまり、放送局から放送されているチャンネル数が全部で１２個（チャンネル番号１〜１２）の場合において、ユーザーが、チャンネル２を視聴している間に２回CH-Upキーを押下することでサムネイルが表示されている。また、前回選局操作が行われた時刻が選局操作時刻記憶部２０９に記憶されており、前回の操作時間差も操作速度算出部２１１が記憶しているものとする。
【０１９９】
まず、操作検出部１１１を介してユーザーから選局操作のキーコードが操作速度算出部２１１に入力される。操作速度算出部２１１は、入力されたキーコードがCH-Up/Downキーであるか否かを判断する（ＳＴ４３０１）。
【０２００】
そして、操作速度算出部２１１は、入力されたキーコードがCH-Up/Downキーであると判断すれば（ＳＴ４３０１でＹ）、選局操作が行われた現在の時刻を選局操作時刻記憶部２０９に記憶させる（ＳＴ４３０２）。
【０２０１】
そして、操作速度算出部２１１は、モニター１０９にサムネイルが表示されているか否かを判断する（ＳＴ４３０３）。前提として２回CH-Upキーが押下されてサムネイルが表示されているので、操作速度算出部２１１は、サムネイルが表示されていると判断する（ＳＴ４３０３でＹ）。
【０２０２】
そして、操作速度算出部２１１は、選局が行なわれた現在の時刻と、選局操作時刻記憶部２０９に記憶されている前回の選局操作が行われた時刻とから、２つの選局操作の操作時間差を選局操作速度として算出する（ＳＴ４３０４）。
【０２０３】
次に、表示件数決定部２１２は、今算出された操作時間差と記憶されている前回の操作時間差とを比較して、操作時間差が前回の操作時間差の１／２倍以下になったか否かを判断する（ＳＴ４３０５）。そして、表示件数決定部２１２は、操作時間差が前回の１／２倍以下になったと判断した場合（ＳＴ４３０５でＹ）、選局操作速度が速くなったと判断してサムネイル表示件数を７件に変更する（ＳＴ４３０６）。
【０２０４】
また、表示件数決定部２１２は、操作時間差が前回の１／２倍よりも大きくなったと判断した場合は（ＳＴ４３０５でＹ）、操作時間差が前回の操作時間差の２倍以上になったか否かを判断する（ＳＴ４３０９）。そして、表示件数決定部２１２は、操作時間差が前回の２倍以上になったと判断した場合（ＳＴ４３０９でＹ）、選局操作速度が遅くなったと判断してサムネイル表示件数を２件に変更する。
【０２０５】
次に、チャンネル決定部２１３は、CH-Up/Downキーの操作方向に応じて現在視聴しているチャンネル番号の次のチャンネル、もしくは前後のチャンネルからサムネイル表示件数分の表示対象のチャンネルを決定する（ＳＴ４３０７）。また、表示件数決定部２１２が、操作時間差が前回の２倍未満であると判断した場合は（ＳＴ４３０９でＮ）、操作速度がほぼ変化していないので表示件数の変更は行わずに、チャンネル決定部２１３は、表示対象のチャンネルを変更し決定する（ＳＴ４３０７）。
【０２０６】
番組情報生成部２１４は、サムネイル表示対象として決定したチャンネルの番組情報を生成してサムネイル表示を更新するために、チャンネル番号に対応されたＰＭＴに含まれている映像データをＡＶデコードして任意の再生時刻で停止させて静止画を生成する。また、番組情報生成部２１４は、前記のＰＭＴと同じサービスＩＤを持つＥＩＴの中から番組名、あらすじなどを取得して番組データを生成する。そして、表示位置決定部２１５は、チャンネル情報記憶部２０８に記憶されているチャンネル番号と決定されたサムネイル表示件数とから、表示対象のチャンネルの番組情報を画面上のどの位置に表示するかを決定する。そして、表示部２１６は、生成された表示対象チャンネルの番組情報をモニター１０９に出力してサムネイル表示を行う（ＳＴ４３０８）。
【０２０７】
以上のようにして、本発明の実施の形態４では、実施の形態１〜３のようにサムネイルが表示されている間に、選局操作が行われてもサムネイル表示件数を変化せず対象のチャンネルを変更するのとは異なり、ユーザーの意思によりサムネイル表示後もサムネイル表示件数を変更することができる。
【０２０８】
その結果、サムネイル表示中であっても、ユーザーの意思によりサムネイル表示件数を増減させることができるため、チャンネル数が多い場合においてもユーザーは自分にとって番組内容を確認しやすいチャンネル表示件数の中から所望の番組を速やかに選択することができる。
【０２０９】
なお、本実施の形態４では、選局操作速度が変化したことにより変更するサムネイル表示件数を２件又は７件と固定して説明したが、操作速度が速くなった場合はサムネイル表示件数が増加して、操作速度が遅くなった場合はサムネイル表示件数が減少するのであればどのような件数でもよい。また、変更するサムネイル表示件数を決定する時の操作時間差の基準も上記の数値に限定するものではなく任意の数値でよい。
【０２１０】
つまり、例えば、操作速度が速くなった場合はサムネイル表示件数が現在のサムネイル表示件数の２倍に増加し、操作速度が遅くなった場合はサムネイル表示件数が現在のサムネイル表示件数の１／２倍に減少することにしてもよい。
【０２１１】
なお、この場合、選局操作速度が変化したことにより変更するサムネイル表示件数が、表示可能な最大件数を超えている場合は、サムネイル表示件数を最大件数に変更してもよい。また、変更するサムネイル表示件数が１件になった場合は、全画面に戻ってもよい。
【０２１２】
また、本実施の形態４では、表示件数決定部２１２は、選局操作時間差から算出された選局操作速度からサムネイル表示件数を決定することとしたが、表示件数決定部２１２は、一定時間内の操作回数、又は同じキーを一定時間長押しすることにより算出される選局操作速度から、サムネイル表示件数を決定することにしてもよい。
【０２１３】
なお、本実施の形態１〜４では、表示件数決定部２１２は、サムネイル表示中のサムネイル表示件数をザッピングの選局操作速度から決定するとして説明したが、左右キーによりサムネイル表示件数を増減させてもよい。また、数字キーでサムネイル表示件数を直接変更してもよい。
【０２１４】
つまり、操作検出部１１１は、チャンネルの選局操作以外の操作も検出し、表示件数決定部２１２は、当該操作が検出された場合に、当該操作に対応付けて予め定められた数値をサムネイル表示件数として決定することにしてもよい。
【０２１５】
このようにすることで、ユーザーが特定のボタンを押下することで、表示するチャンネル件数の増減を物理的に行うことができる。このため、チャンネル数が多い場合においても、ユーザーは所望の番組を速やかに選択することができる。
【０２１６】
以上、実施の形態１〜４を用いて、本発明に係る放送受信装置１０について説明を行ったが、実施の形態１〜４における放送受信装置１０は、さらに、以下の変形例に示す機能を備えていてもよい。
【０２１７】
（変形例１）
本変形例１における放送受信装置１０は、表示件数決定部２１２が、チャンネルの選局操作を行うユーザーの個人情報に基づいて、サムネイル表示件数を決定する。ここで、ユーザーの個人情報とは、ユーザーの年齢である。
【０２１８】
図１９Ａ及び図１９Ｂは、変形例１における放送受信装置１０の機能を説明する図である。
【０２１９】
まず、図１９Ａに示すように、ユーザーは２５歳であるとする。
【０２２０】
そして、表示件数決定部２１２は、ユーザーの年齢が予め定められた第１の年齢以上であり、かつ第１の年齢よりも大きい第２の年齢未満の場合に、ユーザーの年齢が第１の年齢未満又は第２の年齢以上の場合よりも、サムネイル表示件数が多くなるように、サムネイル表示件数を決定する。ここでは、第１の年齢は２０歳であり、第２の年齢は３０歳である。
【０２２１】
つまり、同図に示すように、ユーザーが２５歳の場合は、２０歳以上かつ３０歳未満であるので、表示件数決定部２１２は、２０歳未満、又は３０歳以上のユーザーよりも、サムネイル表示件数を多く決定する。ここでは、ユーザーが２０歳未満、又は３０歳以上の場合に５件のサムネイルが表示されることとし、表示件数決定部２１２は、２５歳のユーザーに対してサムネイル表示件数を７件と決定する。
【０２２２】
次に、図１９Ｂに示すように、ユーザーは７０歳であるとする。
【０２２３】
そして、表示件数決定部２１２は、ユーザーの年齢が予め定められた第３の年齢以上の場合に、ユーザーの年齢が増えるほど、サムネイル表示件数が少なくなるように、サムネイル表示件数を決定する。ここでは、第３の年齢は６０歳である。
【０２２４】
つまり、同図に示すように、ユーザーが７０歳の場合は、６０歳以上であるため、表示件数決定部２１２は、６０歳未満のユーザーよりも、サムネイル表示件数を少なく決定する。ここでは、ユーザーが３０歳以上６０歳未満の場合に５件のサムネイルが表示されることとし、表示件数決定部２１２は、７０歳のユーザーに対してサムネイル表示件数を２件と決定する。
【０２２５】
また、例えば、表示件数決定部２１２は、ユーザーが６５歳の場合はサムネイル表示件数を４件と決定し、ユーザーが６８歳の場合はサムネイル表示件数を３件と決定する。このように、ユーザーの年齢が上がるほどサムネイルの内容が見やすくなるように、サムネイル表示が行われる。
【０２２６】
このように、ユーザーは、年齢層に応じたチャンネル件数の中から、所望の番組を速やかに選択することができる。
【０２２７】
なお、本変形例１では、ユーザーの個人情報とは、ユーザーの年齢であることとしたが、ユーザーの個人情報とは、ユーザーのチャンネルの選局操作の間隔又は所定の時間内での選局操作の回数の実績であることにしてもよい。
【０２２８】
つまり、表示件数決定部２１２は、ユーザーのチャンネルの選局操作の間隔又は所定の時間内での選局操作の回数の実績から、当該間隔が短い又は当該回数が多いユーザーほど、サムネイル表示件数が少なくなるように、サムネイル表示件数を決定することにしてもよい。
【０２２９】
このように、学習制御などによって記録されたユーザー個人の操作間隔記録や操作回数記録によって、表示するチャンネル件数を決定することができる。このため、チャンネル数が多い場合においても、ユーザーは所望の番組を速やかに選択することができる。
【０２３０】
上述の例では、放送受信装置１０は、個人情報とサムネイル表示件数との関係（上述の例では年齢とサムネイル表示件数との関係）を予め保持しておき、個人情報の特定がなされた後、特定した個人情報に対応するサムネイル表示件数を、予め保持した個人情報とサムネイル表示件数との関係に基づいて決定するようにしたものである。
【０２３１】
ここで個人情報としては、上述の年齢に限定される必要はなく、例えば、指紋データ、生年月日、指紋データと好みのジャンル、またはこれらの組み合わせとしてもよい。
【０２３２】
指紋を個人情報とする場合、例えば指紋データと個人とが関連付けられた個人情報を、予め放送受信装置１０が保持しておく。そして、例えばリモコン１１０に設けられた指紋センサなどの指紋認識部（図示せず）により指紋が読み取られたとき、放送受信装置１０は、この保持する指紋データと個人とが関連付けられた個人情報の中から、読み取られた指紋データに合致する個人情報を特定し、特定した個人情報に基づくサムネイル表示件数を決定しても良い。
【０２３３】
また、生年月日、好みのジャンルを個人情報とする場合には、例えば入力情報（この例では、生年月日または好みのジャンル）と個人とが関連付けられた個人情報を、予め放送受信装置１０が保持しておく。そして、例えばリモコン１１０により入力情報が入力されたとき、放送受信装置１０は、この保持する入力情報と個人とが関連付けられた個人情報の中から、入力情報に合致する個人情報を特定し、特定した個人情報に基づくサムネイル表示件数を決定しても良い。
【０２３４】
また、好みのジャンルといったように個人間で比較的同じ情報が入力され個人の特定に寄与しない可能性が予想される場合には、別の入力情報（例えば、生年月日、年齢）などを組み合わせたものを入力情報としてもよい。
【０２３５】
また、携帯電話（図示せず）がリモコン１１０に用いられても良い。この場合、携帯電話を識別するための情報と個人とが関連付けられた個人情報を、予め放送受信装置１０が保持しておく。そして、放送受信装置１０は、リモコン１１０として利用される携帯電話から入力があった場合、携帯電話を識別するための情報と個人とが関連付けられた個人情報の中から、今回入力のあった携帯電話に対応する個人情報を特定し、特定した個人情報に基づくサムネイル表示件数を決定しても良い。
【０２３６】
（変形例２）
本変形例２における放送受信装置１０は、チャンネル決定部２１３が、表示する放送コンテンツの種類の優先度に基づいて、表示対象のチャンネルを決定する。
【０２３７】
図２０Ａ及び図２０Ｂは、変形例２における放送受信装置１０の機能を説明する図である。
【０２３８】
まず、放送コンテンツの種類の優先度として、バラエティ番組の優先度が高く設定されているものとする。
【０２３９】
この場合、図２０Ａに示すように、チャンネル決定部２１３は、バラエティ番組が優先的に表示されるように、表示対象のチャンネルを決定する。そして、表示部２１６は、決定された表示対象のチャンネルの番組情報をモニター１０９に出力し、モニター１０９に表示させる。
【０２４０】
このように、ユーザーが見たいジャンルの番組の優先度を高くしておくことで、当該ジャンルの番組情報を表示するように、表示対象のチャンネルを決定することができる。このため、チャンネル数が多い場合においても、ユーザーは所望の番組を速やかに選択することができる。
【０２４１】
また、チャンネル決定部２１３は、当該優先度が切り替えられた場合に、切り替え後の優先度に応じた表示対象のチャンネルを決定する。つまり、優先度がバラエティ番組よりも報道番組の方が高いように切り替えられた場合に、チャンネル決定部２１３は、報道番組が優先的に表示されるように、表示対象のチャンネルを決定する。
【０２４２】
このように、ユーザーが、番組のジャンル単位で見たいジャンルを切り替えることで、切り替えられたジャンルの番組情報を表示するように、表示対象のチャンネルを決定することができる。このため、チャンネル数が多い場合においても、ユーザーは所望の番組を速やかに選択することができる。
【０２４３】
また、本変形例２では、チャンネル決定部２１３が、当該優先度に応じた表示対象のチャンネルを決定することにしたが、チャンネル決定部２１３は当該優先度に応じた決定を行わず、表示部２１６が、表示対象のチャンネルのうち、放送コンテンツの種類の優先度が高いチャンネルほど、番組情報が大きく表示されるように出力することにしてもよい。
【０２４４】
具体的には、放送コンテンツの種類の優先度として、バラエティ番組の優先度が高く設定されているものとする。
【０２４５】
この場合、図２０Ｂに示すように、表示部２１６は、表示対象のチャンネル（チャンネル番号２〜７）のうち、バラエティ番組（チャンネル番号２，４，７）が大きく表示されるようにモニター１０９に出力し、モニター１０９に表示させる。
【０２４６】
このように、ユーザーが見たいジャンルの番組の優先度を高くしておくことで、当該ジャンルの番組情報が大きく表示される。このため、チャンネル数が多い場合においても、ユーザーは所望の番組を速やかに選択することができる。
【０２４７】
（変形例３）
本変形例３における放送受信装置１０は、チャンネル数がサムネイル表示件数よりも多い場合に、チャンネル決定部２１３が、カーソルを進めていく順に通過したチャンネルを新しいチャンネルに切り替えていく。
【０２４８】
図２１は、変形例３における放送受信装置１０の機能を説明する図である。
【０２４９】
同図の（ａ）に示すように、表示部２１６がチャンネル番号１〜７の番組情報を出力し、モニター１０９に当該番組情報が表示されているとする。そして、ユーザーがチャンネル番号７，６，５の番組情報にカーソルを進めて当該番組情報を選択し、カーソルがチャンネル５〜７の番組情報を通過したとする。
【０２５０】
そして、ユーザーがチャンネル番号４の番組情報にカーソルを進めて当該番組情報を選択した際に、同図の（ｂ）に示すように、チャンネル決定部２１３は、選択が行われて通過したチャンネル番号５〜７の番組情報を新しいチャンネルの番組情報に切り替える。この新しいチャンネルの番組情報とは、表示部２１６が出力したチャンネル番号１〜７とは異なるチャンネルの番組情報であり、具体的には、チャンネル番号１１，１２の番組情報である。つまり、表示部２１６は、チャンネル番号５〜７の番組情報に替えて、チャンネル番号１１，１２の番組情報を出力し、モニター１０９に表示させる。
【０２５１】
このように、チャンネル決定部２１３は、表示部２１６が出力したチャンネルの番組情報のうち選択が行われたチャンネルの番組情報に替えて、表示部２１６が出力していないチャンネルの番組情報を出力するように、表示対象のチャンネルを決定する。
【０２５２】
このようにすることで、ユーザーが表示された番組情報を選択する際に、カーソルを進めていくことで番組情報が選択されていく順に、選択が終了して通過したチャンネルの番組情報を新しいチャンネルの番組情報に切り替える。これにより、次々に新しいチャンネルを表示することができる。このため、チャンネル数が多い場合においても、ユーザーは所望の番組を速やかに選択することができる。
【０２５３】
なお、チャンネル決定部２１３は、カーソルでチャンネル番号が選択されても、「選局中」などにより番組情報が表示されなかったチャンネルについては、継続して表示を行うように、表示対象のチャンネルを決定してもよい。
【０２５４】
（変形例４）
本変形例４における放送受信装置１０は、表示部２１６が、表示されているチャンネルの番組情報のうち、選択が行われているチャンネルの番組情報が最も大きく表示されるように、モニター１０９に出力する。
【０２５５】
図２２Ａ及び図２２Ｂは、変形例４における放送受信装置１０の機能を説明する図である。
【０２５６】
図２２Ａに示すように、ユーザーが、表示されているチャンネル番号１〜７の番組情報のうち、チャンネル番号４の番組情報にカーソルを進めることで、当該番組情報が選択される。そして、表示部２１６は、選択されたチャンネル番号４の番組情報が大きく表示されるようにモニター１０９に出力し、モニター１０９にチャンネル番号４の番組情報が大きく表示される。
【０２５７】
また、図２２Ｂに示すように、モニター１０９が２画面表示可能な場合は、左右２画面の例えば左画面に、このチャンネル番号４の番組情報を大きく表示することにしてもよい。
【０２５８】
このように、ユーザーが表示された番組情報を選択する際に、ユーザーが番組情報の内容を見やすいように、カーソルが当たって選択されている番組情報を大きく表示することができる。このため、チャンネル数が多い場合においても、ユーザーは所望の番組を速やかに選択することができる。
【０２５９】
また、表示部２１６は、選択が行われているチャンネルの番組情報の近くに表示されているチャンネルの番組情報ほど大きく表示されるように出力することにしてもよい。
【０２６０】
つまり、図２２Ａに示すように、選択されているチャンネル番号４の番組情報が最も大きく表示され、チャンネル番号４から遠ざかるほど、番組情報が小さく表示される。具体的には、チャンネル番号４，３，２，１の順に番組情報が小さく表示され、また、チャンネル番号４，５，６，７の順に番組情報が小さく表示される。
【０２６１】
このように、ユーザーが表示された番組情報を選択する際に、カーソルが当たって選択されている番組情報を最も大きく表示し、当該番組情報から遠ざかる順に、番組情報を小さく表示する。このため、チャンネル数が多い場合においても、ユーザーは所望の番組を速やかに選択することができる。
【０２６２】
（変形例５）
本変形例５における放送受信装置１０は、番組情報生成部２１４が、ＴＳに重畳された番組情報から、又は複数チューナー環境で空いたチューナーを介して生成される番組情報から、表示対象のチャンネルの番組情報を生成する。
【０２６３】
図２３は、変形例５における放送受信装置１０の機能を説明する図である。
【０２６４】
同図に示すように、番組情報生成部２１４は、ＴＳに重畳された番組情報から表示対象のチャンネルの番組情報を取得し、生成する（同図のＡ）。そして、表示部２１６は、ＴＳに重畳された番組情報から取得される表示対象のチャンネルの番組情報を表示する。
【０２６５】
また、同図に示すように、放送受信装置１０は、チューナー部１０１を複数備え、番組情報生成部２１４は、放送コンテンツの受信に使用されていないチューナー部１０１を介して、表示対象のチャンネルの番組情報を生成する（同図のＢ）。そして、表示部２１６は、放送コンテンツの受信に使用されていないチューナー部１０１を介して生成される表示対象のチャンネルの番組情報を表示する。これにより、番組情報をリアルタイムに表示することができる。
【０２６６】
なお、図１や図５に示されたブロック図の各機能ブロックは典型的には集積回路であるＬＳＩとして実現される。これらは個別に１チップ化されても良いし、一部又は全てを含むように１チップ化されても良い。具体的には、例えば、図２４に示すように、図１に示されたケーブルカードインタフェース１０６及びＨＤＤ１１２（図２４のＸで示す部分）以外の機能ブロックが１チップ化されていても良い。
【０２６７】
ここでは、ＬＳＩとしたが、集積度の違いにより、ＩＣ、システムＬＳＩ、スーパーＬＳＩ、ウルトラＬＳＩと呼称されることもある。
【０２６８】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０２６９】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０２７０】
以上、本発明に係る放送受信装置について、上記実施の形態およびその変形例を用いて説明したが、本発明は、これに限定されるものではない。
【０２７１】
つまり、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【産業上の利用可能性】
【０２７２】
本発明にかかる放送受信装置は、ザッピングにより所望の番組を速やかに選択することができるという効果を有し、アナログ及びデジタルテレビ放送を受信することができる放送受信装置として有用である。
【図面の簡単な説明】
【０２７３】
【図１】図１は、本発明の実施の形態１〜４における放送受信装置のハードウェア構成を示す図である。
【図２】図２は、本発明の実施の形態１〜４における放送局によって送出されるＭＰＥＧ２−ＴＳの模式図である。
【図３Ａ】図３Ａは、ＭＰＥＧ２−ＴＳの一般的な構成を示す図である。
【図３Ｂ】図３Ｂは、本発明の実施の形態１〜４におけるＭＰＥＧ２−ＴＳの構成を示す図である。
【図４】図４は、本発明の実施の形態１〜４におけるＥＩＴのデータ構造を示す図である。
【図５】図５は、本発明の実施の形態１〜４における放送受信装置の一例を示す機能ブロック図である。
【図６Ａ】図６Ａは、本発明の実施の形態１における選局操作の操作速度差を基準としたユーザーの選局操作のタイミングとその時の画面イメージを表した図である。
【図６Ｂ】図６Ｂは、本発明の実施の形態１における選局操作の操作速度差を基準としたユーザーの選局操作のタイミングとその時の画面イメージを表した図である。
【図７】図７は、本発明の実施の形態１における選局操作速度が遅いと判断した場合のサムネイル表示時の画面イメージを示す図である。
【図８】図８は、本発明の実施の形態１における選局操作速度が速いと判断した場合のサムネイル表示時の画面イメージを示す図である。
【図９】図９は、本発明の実施の形態１におけるサムネイル表示時のサムネイル表示サイズを全て同じにした場合の画面イメージを示す図である。
【図１０】図１０は、本発明の実施の形態１におけるサムネイル表示時の表示対象のチャンネルの静止画が生成されるまでの画面イメージを示す図である。
【図１１】図１１は、本発明の実施の形態１における選局操作の操作速度を基準としたサムネイル表示を行う方法を示したフローチャートである。
【図１２Ａ】図１２Ａは、本発明の実施の形態２における一定時間内の操作回数を基準としたユーザーの選局操作のタイミングとその時の画面イメージを表した図である。
【図１２Ｂ】図１２Ｂは、本発明の実施の形態２における一定時間内の操作回数を基準としたユーザーの選局操作のタイミングとその時の画面イメージを表した図である。
【図１３】図１３は、本発明の実施の形態２における一定時間内の操作回数を基準としたサムネイル表示を行う方法を示したフローチャートである。
【図１４Ａ】図１４Ａは、本発明の実施の形態３における一定時間長押ししたことを基準としたユーザーの選局操作のタイミングとその時の画面イメージを表した図である。
【図１４Ｂ】図１４Ｂは、本発明の実施の形態３における一定時間長押ししたことを基準としたユーザーの選局操作のタイミングとその時の画面イメージを表した図である。
【図１５】図１５は、本発明の実施の形態３における一定時間長押ししたことを基準としたサムネイル表示を行う方法を示したフローチャートである。
【図１６Ａ】図１６Ａは、本発明の実施の形態４における選局操作の操作速度差を基準としたユーザーの選局操作のタイミングとその時の画面イメージを表した図である。
【図１６Ｂ】図１６Ｂは、本発明の実施の形態４における選局操作の操作速度差を基準としたユーザーの選局操作のタイミングとその時の画面イメージを表した図である。
【図１７】図１７は、本発明の実施の形態４における選局操作速度が速くなったと判断した場合のサムネイル表示時の画面イメージを示す図である。
【図１８】図１８は、本発明の実施の形態４における選局操作の操作速度を基準としたサムネイル表示を行う方法を示したフローチャートである。
【図１９Ａ】図１９Ａは、変形例１における放送受信装置の機能を説明する図である。
【図１９Ｂ】図１９Ｂは、変形例１における放送受信装置の機能を説明する図である。
【図２０Ａ】図２０Ａは、変形例２における放送受信装置の機能を説明する図である。
【図２０Ｂ】図２０Ｂは、変形例２における放送受信装置の機能を説明する図である。
【図２１】図２１は、変形例３における放送受信装置の機能を説明する図である。
【図２２Ａ】図２２Ａは、変形例４における放送受信装置の機能を説明する図である。
【図２２Ｂ】図２２Ｂは、変形例４における放送受信装置の機能を説明する図である。
【図２３】図２３は、変形例５における放送受信装置の機能を説明する図である。
【図２４】図２４は、放送受信装置を集積回路で実現する一例を示す図である。
【符号の説明】
【０２７４】
１０  放送受信装置
１００  ケーブル
１０１  チューナー部
１０２  ＴＳデコーダ部
１０３  ＡＶデコーダ部
１０４  プレーン管理部
１０５  ケーブルカード
１０６  ケーブルカードインタフェース（Ｉ／Ｆ）
１０７  ＣＰＵ
１０８  合成部
１０９  モニター
１１０  リモコン
１１１  操作検出部
１１２  ＨＤＤ
１１３  メモリ
１１４  キャッシュメモリ
２０４  静止画
２０５  番組データ
２０６  チャンネル番号
２０７  表示位置
２０８  チャンネル情報記憶部
２０９  選局操作時刻記憶部
２１１  操作速度算出部
２１２  表示件数決定部
２１３  チャンネル決定部
２１４  番組情報生成部
２１５  表示位置決定部
２１６  表示部
【手続補正２】
【補正対象書類名】特許請求の範囲
【補正対象項目名】全文
【補正方法】変更
【補正の内容】
【特許請求の範囲】
【請求項１】
放送コンテンツを受信し、受信された前記放送コンテンツの情報を、前記放送コンテンツが受信されたチャンネルの番組情報として出力する放送受信装置であって、
チャンネルの選局操作を検出する操作検出部と、
検出された前記チャンネルの選局操作から、チャンネルの選局操作速度を算出する操作速度算出部と、
算出された前記選局操作速度に基づいて、前記番組情報を表示するチャンネル件数を決定する表示件数決定部と、
決定された前記チャンネル件数のチャンネルの番組情報を表示するように、表示対象のチャンネルを決定するチャンネル決定部と、
決定された前記表示対象のチャンネルの番組情報を出力する表示部と
を備える放送受信装置。
【請求項２】
前記表示件数決定部は、算出された前記選局操作速度が速いほど、前記チャンネル件数が多くなるように、前記チャンネル件数を決定する
請求項１記載の放送受信装置。
【請求項３】
前記操作速度算出部は、前記操作検出部が検出した連続する２つのチャンネルの選局操作の間の時間が短いほど、前記選局操作速度が速くなるように、前記選局操作速度を算出する
請求項２記載の放送受信装置。
【請求項４】
前記操作速度算出部は、所定の時間内に前記操作検出部がチャンネルの選局操作を検出した回数が多いほど、前記選局操作速度が速くなるように、前記選局操作速度を算出する
請求項２記載の放送受信装置。
【請求項５】
前記操作検出部は、１つのチャンネルが選局操作されている時間を検出し、
前記操作速度算出部は、検出された前記時間が長いほど、前記選局操作速度が速くなるように、前記選局操作速度を算出する
請求項２記載の放送受信装置。
【請求項６】
前記表示件数決定部は、さらに、チャンネルの選局操作を行う操作者の個人情報に基づいて、前記チャンネル件数を決定する
請求項３記載の放送受信装置。
【請求項７】
前記表示件数決定部は、操作者の年齢が予め定められた第１の年齢以上であり、かつ前記第１の年齢よりも大きい第２の年齢未満の場合に、操作者の年齢が前記第１の年齢未満又は前記第２の年齢以上の場合よりも、前記チャンネル件数が多くなるように、前記チャンネル件数を決定する
請求項６記載の放送受信装置。
【請求項８】
前記表示件数決定部は、操作者の年齢が予め定められた第３の年齢以上の場合に、操作者の年齢が増えるほど、前記チャンネル件数が少なくなるように、前記チャンネル件数を決定する
請求項６記載の放送受信装置。
【請求項９】
前記表示件数決定部は、操作者のチャンネルの選局操作の間隔又は所定の時間内での選局操作の回数の実績から、前記間隔が短い又は前記回数が多い操作者ほど、前記チャンネル件数が少なくなるように、前記チャンネル件数を決定する
請求項６記載の放送受信装置。
【請求項１０】
前記チャンネル決定部は、表示する前記放送コンテンツの種類の優先度に基づいて、前記表示対象のチャンネルを決定する
請求項３記載の放送受信装置。
【請求項１１】
前記チャンネル決定部は、前記優先度が切り替えられた場合に、前記切り替え後の優先度に応じた表示対象のチャンネルを決定する
請求項１０記載の放送受信装置。
【請求項１２】
前記表示部は、決定された前記表示対象のチャンネルのうち、前記放送コンテンツの種類の優先度が高いチャンネルほど、番組情報が大きく表示されるように出力する
請求項３記載の放送受信装置。
【請求項１３】
前記操作検出部は、さらに、チャンネルの選局操作以外の操作を検出し、
前記表示件数決定部は、前記操作が検出された場合に、前記操作に対応付けて予め定められた数値を前記チャンネル件数として決定する
請求項３記載の放送受信装置。
【請求項１４】
前記チャンネル決定部は、前記表示部が出力したチャンネルの番組情報のうち選択が行われたチャンネルの番組情報に替えて、前記表示部が出力していないチャンネルの番組情報を出力するように、前記表示対象のチャンネルを決定する
請求項３記載の放送受信装置。
【請求項１５】
前記表示部は、表示されたチャンネルの番組情報のうち、選択が行われているチャンネルの番組情報が最も大きく表示されるように出力する
請求項３記載の放送受信装置。
【請求項１６】
前記表示部は、前記選択が行われているチャンネルの番組情報の近くに表示されているチャンネルの番組情報ほど大きく表示されるように出力する
請求項１５記載の放送受信装置。
【請求項１７】
放送コンテンツを受信し、受信された前記放送コンテンツの情報を、前記放送コンテンツが受信されたチャンネルの番組情報として出力する放送受信方法であって、
チャンネルの選局操作を検出する操作検出ステップと、
検出された前記チャンネルの選局操作から、チャンネルの選局操作速度を算出する操作速度算出ステップと、
算出された前記選局操作速度に基づいて、前記番組情報を表示するチャンネル件数を決定する表示件数決定ステップと、
決定された前記チャンネル件数のチャンネルの番組情報を表示するように、表示対象のチャンネルを決定するチャンネル決定ステップと、
決定された前記表示対象のチャンネルの番組情報を出力する表示ステップと
を含む放送受信方法。
【請求項１８】
放送コンテンツを受信し、受信された前記放送コンテンツの情報を、前記放送コンテンツが受信されたチャンネルの番組情報として出力するためのプログラムであって、
チャンネルの選局操作を検出する操作検出ステップと、
検出された前記チャンネルの選局操作から、チャンネルの選局操作速度を算出する操作速度算出ステップと、
算出された前記選局操作速度に基づいて、前記番組情報を表示するチャンネル件数を決定する表示件数決定ステップと、
決定された前記チャンネル件数のチャンネルの番組情報を表示するように、表示対象のチャンネルを決定するチャンネル決定ステップと、
決定された前記表示対象のチャンネルの番組情報を出力する表示ステップと
をコンピュータに実行させるプログラム。
【請求項１９】
放送コンテンツを受信し、受信された前記放送コンテンツの情報を、前記放送コンテンツが受信されたチャンネルの番組情報として出力する放送受信装置を制御する集積回路であって、
チャンネルの選局操作を検出する操作検出部と、
検出された前記チャンネルの選局操作から、チャンネルの選局操作速度を算出する操作速度算出部と、
算出された前記選局操作速度に基づいて、前記番組情報を表示するチャンネル件数を決定する表示件数決定部と、
決定された前記チャンネル件数のチャンネルの番組情報を表示するように、表示対象のチャンネルを決定するチャンネル決定部と、
決定された前記表示対象のチャンネルの番組情報を出力する表示部と
を備える集積回路。
【手続補正３】
【補正対象書類名】図面
【補正対象項目名】全図
【補正方法】変更
【補正の内容】
【図１】
2009050872.tif 000035
【図２】
2009050872.tif 000036
【図３Ａ】
2009050872.tif 000037
【図３Ｂ】
2009050872.tif 000038
【図４】
2009050872.tif 000039
【図５】
2009050872.tif 000040
【図６Ａ】
2009050872.tif 000041
【図６Ｂ】
2009050872.tif 000042
【図７】
2009050872.tif 000043
【図８】
2009050872.tif 000044
【図９】
2009050872.tif 000045
【図１０】
2009050872.tif 000046
【図１１】
2009050872.tif 000047
【図１２Ａ】
2009050872.tif 000048
【図１２Ｂ】
2009050872.tif 000049
【図１３】
2009050872.tif 000050
【図１４Ａ】
2009050872.tif 000051
【図１４Ｂ】
2009050872.tif 000052
【図１５】
2009050872.tif 000053
【図１６Ａ】
2009050872.tif 000054
【図１６Ｂ】
2009050872.tif 000055
【図１７】
2009050872.tif 000056
【図１８】
2009050872.tif 000057
【図１９Ａ】
2009050872.tif 000058
【図１９Ｂ】
2009050872.tif 000059
【図２０Ａ】
2009050872.tif 000060
【図２０Ｂ】
2009050872.tif 000061
【図２１】
2009050872.tif 000062
【図２２Ａ】
2009050872.tif 000063
【図２２Ｂ】
2009050872.tif 000064
【図２３】
2009050872.tif 000065
【図２４】
2009050872.tif 000066
【国際調査報告】
2009050872.tif 000067
2009050872.tif 000068